(57)【要約】【課題】受信状態情報の総通知量を抑えながら適応変調および適応スケジューリングを行うことができる基地局装置、端末装置、通信システム及び通信方法を提供する。【解決手段】端末装置と通信を行う基地局装置であって、端末装置に送信する送信情報の情報量を取得する送信情報量取得部と、送信情報量取得部が取得した送信情報の情報量に基づいて、端末装置が基地局装置に対して通知するチャネルの受信状態情報の情報量を決定する情報量決定部と、情報量決定部が決定したチャネルの受信状態情報の情報量を端末装置に通知する通知部とを備える。【選択図】図２
2008271205.tif 000002
【特許請求の範囲】
【請求項１】
端末装置と通信を行う基地局装置であって、
前記端末装置に送信する送信情報の情報量を取得する送信情報量取得部と、
前記送信情報量取得部が取得した送信情報の情報量に基づいて、前記端末装置が前記基地局装置に対して通知する、チャネルの受信状態情報の情報量を決定する情報量決定部と、
前記情報量決定部が決定したチャネルの受信状態情報の情報量を前記端末装置に通知する通知部と、
を備えることを特徴とする基地局装置。
【請求項２】
前記情報量決定部は、前記送信情報量取得部が取得した送信情報の情報量が異なる場合に、前記端末装置が前記基地局装置に対して通知するチャネルの受信状態情報の情報量が異ならせることを特徴とする請求項１に記載の基地局装置。
【請求項３】
前記受信状態情報は、全てのチャネルの中の所定数のチャネルの識別情報とその所定のチャネルの受信状態を示す情報とを含むことを特徴とする請求項１に記載の基地局装置。
【請求項４】
前記受信状態情報は、所定のチャネルの受信状態と隣接するチャネルの受信状態の差分値とを含むことを特徴とする請求項１に記載の基地局装置。
【請求項５】
前記情報量決定部は、前記送信情報量取得部が取得した送信情報の情報量が多くなるに従って、前記端末装置が前記基地局装置に対して通知するチャネルの受信状態情報の情報量を多くすることを特徴とする請求項２から４までのいずれかの項に記載の基地局装置。
【請求項６】
前記端末装置に送信する送信情報を蓄積する送信情報蓄積部を備え、
前記送信情報量取得部は、前記端末装置に送信する送信情報の情報量として、前記送信情報蓄積部が蓄積する送信情報の情報量を取得することを特徴とする請求項１から５までのいずれかの項に記載の基地局装置。
【請求項７】
前記端末装置に送信する送信情報を蓄積する送信情報蓄積部を備え、
前記送信情報量取得部は、前記端末装置に送信する送信情報の情報量として、前記送信情報蓄積部が出力する送信情報のビットレートを取得することを特徴とする請求項１から５までのいずれかの項に記載の基地局装置。
【請求項８】
前記情報量決定部は、前記送信情報量取得部が取得した送信情報の情報量に基づいて、前記端末装置が前記基地局装置に対して通知するチャネルの受信状態情報の情報量を３種類以上の情報量の中から決定することを特徴とする請求項１に記載の基地局装置。
【請求項９】
前記端末装置から前記基地局装置が受信する信号の最大ドップラー周波数を測定する最大ドップラー周波数測定部を備え、
前記情報量決定部は、前記送信情報量取得部が取得した送信情報の情報量と、前記最大ドップラー周波数測定部が測定する最大ドップラー周波数とに基づいて、前記端末装置が前記基地局装置に対して通知するチャネルの受信状態情報の情報量を決定することを特徴とする請求項１に記載の基地局装置。
【請求項１０】
前記情報量決定部は、前記最大ドップラー周波数測定部が測定する最大ドップラー周波数が大きくなるに従って、前記端末装置が前記基地局装置に対して通知するチャネルの受信状態情報の情報量を少なくすることを特徴とする請求項９に記載の基地局装置。
【請求項１１】
前記情報量決定部は、前記送信情報量取得部が取得した端末装置ごとの送信情報の情報量に基づいて、前記端末装置が前記基地局装置に対して通知するチャネルの受信状態情報の情報量を端末装置ごとに決定することを特徴とする請求項１に記載の基地局装置。
【請求項１２】
前記端末装置から通知されるチャネルの受信状態情報を受信する受信状態情報受信部と、
前記受信状態情報受信部が受信したチャネルの受信状態情報に基づいて前記端末装置に対する送信情報を各チャネルに割り当てるチャネル割り当て部と、
を備えることを特徴とする請求項１から１１までのいずれかの項に記載の基地局装置。
【請求項１３】
前記チャネル割り当て部は、前記受信状態情報受信部が前記端末装置から受信したチャネルの受信状態情報の情報量が多くなるに従って、その端末装置に対する送信データをチャネルに優先して割り当てることを特徴とする請求項１２に記載の基地局装置。
【請求項１４】
基地局装置と通信を行う端末装置であって、
チャネルの受信状態情報の情報量を受信する受信部と、
チャネルの受信状態を測定する受信状態測定部と、
前記受信部が受信した情報量を使用して前記受信状態測定部が測定したチャネルの受信状態情報を生成する受信状態情報生成部と、
前記受信状態情報生成部が生成した受信状態情報を前記基地局装置に送信する送信部と、
を備えることを特徴とする端末装置。
【請求項１５】
前記受信状態情報生成部は、前記受信部が受信した情報量を使用して、前記受信状態測定部が受信状態を測定したチャネルの中から所定数のチャネルの受信状態情報を生成し、
前記送信部は、前記所定数のチャネルの識別情報と前記受信状態情報生成部が生成した受信状態情報とを前記基地局装置に送信することを特徴とする請求項１４に記載の端末装置。
【請求項１６】
前記受信状態情報生成部は、前記受信部が受信した情報量を使用して、前記受信状態測定部が受信状態を測定したチャネルの中から所定のチャネルの受信状態と隣接するチャネルの受信状態との差分値とを含む受信状態情報を生成し、
前記送信部は、前記所定のチャネルの識別情報と前記隣接するチャネルの識別情報と前記受信状態情報生成部が生成した受信状態情報とを前記基地局装置に送信することを特徴とする請求項１４に記載の端末装置。
【請求項１７】
基地局装置と端末装置とを備える通信システムであって、
前記基地局装置は、
前記端末装置に送信する送信情報の情報量を取得する送信情報量取得部と、
前記送信情報量取得部が取得した送信情報の情報量に基づいて、前記端末装置が前記基地局装置に対して通知するチャネルの受信状態情報の情報量を決定する情報量決定部と、
前記情報量決定部が決定したチャネルの受信状態情報の情報量を前記端末装置に通知する通知部とを備え、
前記端末装置は、
前記通知部が通知するチャネルの受信状態情報の情報量を受信する受信部と、
チャネルの受信状態を測定する受信状態測定部と、
前記受信部が受信した情報量を使用して前記受信状態測定部が測定したチャネルの受信状態情報を生成する受信状態情報生成部と、
前記受信状態情報生成部が生成した受信状態情報を前記基地局装置に送信する送信部とを備えることを特徴とする通信システム。
【請求項１８】
基地局装置と端末装置とを用いた通信方法であって、
前記基地局装置は、
前記端末装置に送信する送信情報の情報量を取得する送信情報量取得過程と、
前記送信情報量取得過程で取得した送信情報の情報量に基づいて、前記端末装置が前記基地局装置に対して通知するチャネルの受信状態情報の情報量を決定する情報量決定過程と、
前記情報量決定過程で決定したチャネルの受信状態情報の情報量を前記端末装置に通知する通知過程とを実行し、
前記端末装置は、
前記通知過程で通知されたチャネルの受信状態情報の情報量を受信する受信過程と、
チャネルの受信状態を測定する受信状態測定過程と、
前記受信過程で受信した情報量を使用して前記受信状態測定過程で測定したチャネルの受信状態情報を生成する受信状態情報生成過程と、
前記受信状態情報生成過程で生成した受信状態情報を前記基地局装置に送信する送信過程とを実行することを特徴とする通信方法。
【発明の詳細な説明】
【技術分野】
【０００１】
本発明は、基地局装置、端末装置、通信システム及び通信方法に関する。
【背景技術】
【０００２】
通信の効率（システムのトータルスループットや、受信エラーの発生を勘案した実質的な伝送速度）を改善する方法として、受信信号電力やＳＮＲ（Signal to Noise power Ratio：受信信号電力対雑音電力比）等の伝搬路状態及び受信状態を示す指標を元に、変調方式や、チャネル符号化率、誤り訂正符号化方式、拡散率、コード多重数、送信電力等の通信パラメータを、変化させる方式が提案されている（非特許文献１）。特に、変調方式やチャネル符号化率などの変調パラメータを適応的に選択する方式は適応変調方式と呼ばれている。
【０００３】
また、基地局装置と複数の端末装置とから構成され、基地局装置から端末装置への通信（下りリンク）においてマルチキャリア通信を用いる通信システムでは、下りリンク信号の各端末装置における各チャネルの受信状態に応じて、チャネルを各端末装置に割り当てるスケジューリングを行う技術や、下りリンクに対して、１つのサブキャリアまたは幾つかのサブキャリアからなるチャネル毎に、適応変調を行う技術が知られている（非特許文献２、非特許文献３）。
【０００４】
なお、端末装置の受信状態に基づいたスケジューリングや適応変調方式を採用した通信システムでは、割り当てや変調パラメータを決定するために、通信に使用するチャネルの受信信号電力やＳＮＲ等の伝搬路状態及び受信状態を示す指標を通信相手に通知する必要がある。
上記のようなシステムでは、各端末装置が各チャネルに関する受信状態情報を、上りリンクの制御チャネル等を用いて、基地局装置へ通知する必要がある。このため、端末装置が基地局装置に、上りリンクで伝送する受信状態情報の情報量が、端末装置数およびチャネル数に比例して膨大になるという問題があった。
【０００５】
上記問題を解決するために、上りリンクで伝送する受信状態情報の情報量の削減を目的として、端末装置毎に、基地局装置が各端末装置に通信用として割り当てた全チャネルの受信状態を、各端末装置が測定して、全チャネルの受信状態の平均値のみを基地局装置へ通知する方法（第１の方法）が知られている。
また、基地局装置が各端末装置に通信用として割り当てた全チャネルのうち、受信状態の良好なチャネルを、受信状態の良好な方から所定の数だけ選び、それらのチャネルの受信状態だけを基地局装置へ通知する方法（第２の方法）が知られている。
また、基地局装置が各端末装置に通信用として割り当てた全チャネルの各チャネルの受信状態の値を、周波数軸方向に離散コサイン変換（Discrete Cosine Transform：ＤＣＴ）を施して圧縮する方法（第３の方法）が知られている。
また、基地局装置が各端末装置に通信用として割り当てた全チャネルの中から、幾つかの基準チャネルを選定し、各チャネルの受信状態の値を、基準チャネルの受信状態の差分値で表し、これを基地局装置へ通知する方法（第４の方法）が知られている。
上記の第１から第４の方法は、特許文献１、特許文献２、非特許文献３、非特許文献４、非特許文献５に記載されている。
【０００６】
上記の従来のシステムの例として、端末装置が受信状態の良好なチャネルから所定の数だけ選び、そのチャネルの受信状態情報だけを基地局装置へ通知するシステムについて説明する。
【０００７】
図２７は、従来技術における基地局装置９０００の構成を示す概略ブロック図である。この基地局装置９０００は、ＲＦ（Radio Frequency）受信回路９００１、復調・復号化部９００２、スケジューリング部９００３、ヘッダ情報取得部９００４、パケット識別部９００５、バッファ管理部９００６、ＰＤＵ（ピーディーユー：Protocol Data Unit）生成部９００７、送信バッファ９００８、セレクタ９００９、符号化・変調部９０１０、ＲＦ送信回路９０１１を備えている。
【０００８】
各端末装置からの制御情報を含む制御信号は、アンテナ（図示省略）を介して、ＲＦ受信回路９００１により受信され、受信された制御信号は、ベースバンド信号にダウンコンバートされ、デジタル信号に変換された後に、復調・復号部９００２に入力される。復調・復号部９００２では、制御信号の復調・復号処理が行われ、各端末装置の上り制御情報（周波数ブロック毎の下りリンク受信チャネル状態）がスケジューリング部９００３に通知される。
一方、ネットワークから送信されたＩＰパケットが受信されると、ヘッダ情報取得部９００４は、受信されたＩＰパケットから宛先アドレス等のパケットヘッダ情報を取得し、取得したパケットヘッダ情報をバッファ管理部９００６に通知し、ＩＰパケットをパケット選択部９００５に入力する。
【０００９】
バッファ管理部９００６は、通知されたパケットヘッダ情報及び後述する送信バッファ９００８から、バッファ管理部９００６を介して、通知される各待ち行列の状態に基づいて、パケット識別部９００５に対してパケットデータの格納先を指定する。また、バッファ管理部９００６は、宛先アドレスとそのアドレスに対応する待ち行列のメモリアドレスとを送信バッファ９００８に入力する。
また、バッファ管理部９００６は、パケットヘッダ情報及び送信バッファ９００８から通知される各待ち行列の状態をスケジューリング部９００３に通知する。
パケット識別部９００５は、バッファ管理部９００６により指定されたパケットデータの格納先に基づいて、入力されたＩＰパケットを選別し、選別したパケット毎にＰＤＵ生成部９００７に入力する。ＰＤＵ生成部９００７は、入力されたパケットをＰＤＵ化し、送信バッファ９００８に入力する。
【００１０】
送信バッファ９００８は、バッファ管理部９００６により入力された宛先アドレスと、対応する待ち行列のメモリアドレスとに基づいて、入力されたＰＤＵから宛先（端末装置）ごとに独立の待ち行列を形成し、各待ち行列の状態をバッファ管理部９００６に通知する。
【００１１】
セレクタ９００９は、スケジューリング部９００３により指定された待ち行列に基づいて、送信バッファ９００８からデータを取り出し、指定された周波数ブロックに対する符号化・変調部９０１０に入力する。この周波数ブロックは、スケジューリング部９００３により割り当てられる。スケジューリング部９００３は、通知された各端末装置の上り制御情報（品質が良好な周波数ブロックの下りリンク受信チャネル状態）、パケットヘッダ情報及び各待ち行列の状態に基づいて、各ユーザの、周波数ブロックの割当に対する指標（優先度）を求め、この指標に基づいて周波数ブロックの割当を決定する。
セレクタ９００９から出力されたデータは、符号化・変調部９０１０において符号化・変調処理が行われ、符号化・変調が行われたデータは、ＲＦ送信回路９０１１により各端末装置へ送信される。
【特許文献１】特開２００４−２０８２３４号公報
【特許文献２】特開２００６−５０５４５号公報
【非特許文献１】岸山他「下りリンクＶＳＦ−ＯＦＣＤＭブロードバンド無線アクセスにおける適応変復調・チャネル符号化のスループット特性の実験結果」、電子情報通信学会技術研究報告、２００３年５月，ＲＣＳ２００３−２５
【非特許文献２】前原他「サブキャリア適応変調を用いたＯＦＤＭ／ＴＤＤ伝送方式の検討」、２００１年電子情報通信学会総合大会、２００１年３月、Ｂ−５−１００、ｐ．４９８
【非特許文献３】「ＣＱＩ  ｒｅｐｏｒｔ  ａｎｄ  ｓｃｈｅｄｕｌｉｎｇ  ｐｒｏｃｅｄｕｒｅ」、３ＧＰＰ、ＴＳＧ−ＲＡＮ  ＷＧ１  Ｍｅｅｔｉｎｇ  ＃４２ｂｉｓ、Ｒ１−０５１０４５、２００５年１０月
【非特許文献４】「Ｓｅｎｓｉｔｉｖｉｔｙ  ｏｆ  ＤＬ／ＵＬ  Ｐｅｒｆｏｒｍａｎｃｅ  ｔｏ  ＣＱＩ−Ｃｏｍｐｒｅｓｓｉｏｎ  ｗｉｔｈ  Ｔｅｘｔ  Ｐｒｏｐｏｓａｌ」、３ＧＰＰ、ＴＳＧ−ＲＡＮ  ＷＧ１  ａｄ  ｈｏｃ  ｍｅｅｔｉｎｇ  ｏｎ  ＬＴＥ、Ｒ１−０６０２２８、２００６年１月
【非特許文献５】「Ａｓｓｅｓｍｅｎｔ  ｏｆ  ａｄａｐｔｉｖｅ  ｔｒａｎｓｍｉｓｓｉｏｎ  ｔｅｃｈｎｏｌｏｇｉｅｓ」、ＷＩＮＮＥＲ、ＩＳＴ−２００３−５０７５８１、Ｄ２．４  ｖｅｒ１．０、２００５年２月
【発明の開示】
【発明が解決しようとする課題】
【００１２】
上述した第１の方法では、各チャネルの受信状態に応じた適応変調ができない。このため、平均値よりも受信状態の良いチャネルでは伝送速度が低くなりすぎて非効率となり、平均値よりも受信状態の悪いチャネルでは誤り率特性が劣化してしまう。また、伝搬路の周波数選択性を利用して、端末装置をそれぞれの受信状態が良好なチャネルに割り当てるスケジューリングができないため、システム全体での伝送効率が低下してしまう。
【００１３】
また、上述した第２の方法では、チャネルのうちで受信状態の良好なものを所定数だけ通知するため、複数の端末装置から通知された所定数の受信状態の良好なチャネルが重複してしまった場合に、スケジューリングの結果、受信状態を通知したチャネルが割り当てられない端末装置が発生する可能性がある。このとき、その端末装置の他のチャネルの受信状態は全くわからないため、空きチャネルにおいて端末装置の受信状態に基づいたスケジューリングや適応変調を行うことができず、伝送効率が低下してしまう。
【００１４】
また、上述した第３の方法や第４の方法では、チャネル毎の詳細な受信状態情報を必要としない端末装置についても、詳細な受信状態情報が通知を行うため、通信が非効率である。
【００１５】
しかしながら、従来の技術では、基地局装置との通信量が多い端末装置と、基地局装置との通信量が少ない端末装置とが、同じ情報量の受信品質情報を基地局装置に通知していたため、受信状態情報の総通知量が多いという問題があった。
【００１６】
本発明は、上記事情に鑑みてなされたものであり、その目的は、受信状態情報の総通知量を抑えながら適応変調および適応スケジューリングを可能とすることで優れた伝送効率が得られる基地局装置、端末装置、通信システム及び通信方法を提供することにある。
【課題を解決するための手段】
【００１７】
（１）  本発明は、上記課題を解決するためになされたもので、本発明の一態様による基地局装置は、端末装置と通信を行う基地局装置であって、前記端末装置に送信する送信情報の情報量を取得する送信情報量取得部と、前記送信情報量取得部が取得した送信情報の情報量に基づいて、前記端末装置が前記基地局装置に対して通知するチャネルの受信状態情報の情報量を決定する情報量決定部と、前記情報量決定部が決定したチャネルの受信状態情報の情報量を前記端末装置に通知する通知部とを備える。
本発明では、基地局装置が端末装置に送信する送信情報の情報量に基づいて、端末装置が基地局装置に対して通知するチャネルの受信状態情報の情報量を決定するようにした。よって、基地局装置が端末装置に送信する送信情報の情報量が多い場合に、端末装置が基地局装置に対して通知するチャネルの受信状態情報の情報量を多くするように設定することにより、基地局装置との通信量が少ない端末装置は、基地局装置との通信量が多い端末装置に比べて、受信状態情報の情報量を少なくすることができる。
【００１８】
（２）  また、本発明の一態様による基地局装置の前記情報量決定部は、前記送信情報量取得部が取得した送信情報の情報量が異なる場合に、前記端末装置が前記基地局装置に対して通知するチャネルの受信状態情報の情報量が異ならせる。
本発明では、基地局装置が端末装置に送信する送信情報の情報量が多い場合に、端末装置が基地局装置に対して通知するチャネルの受信状態情報の情報量が多くなるように、情報量決定部が受信状態情報の情報量を異ならせるように設定することにより、基地局装置との通信量が少ない端末装置は、基地局装置との通信量が多い端末装置に比べて、受信状態情報の情報量を少なくすることができる。
【００１９】
（３）  また、本発明の一態様による基地局装置の前記受信状態情報は、全てのチャネルの中の所定のチャネルの識別情報とその所定のチャネルの受信状態を示す情報とを含む。
本発明では、受信状態情報が、全てのチャネルの中の所定のチャネルの識別情報と、その所定のチャネルの受信状態を示す情報とを含むようにした。よって、受信状態情報が、全てのチャネルについての受信状態を示す情報を含む場合に比べて、端末装置から基地局装置に送信する受信状態情報の情報量を少なくすることができる。
【００２０】
（４）  また、本発明の一態様による基地局装置の前記受信状態情報は、所定のチャネルの受信状態と隣接するチャネルの受信状態の差分値とを含む。
本発明では、受信状態情報が、所定のチャネルの受信状態と隣接するチャネルの受信状態の差分値とを含むようにした。よって、受信状態情報が、全てのチャネルについての受信状態を示す情報を含む場合に比べて、端末装置から基地局装置に送信する受信状態情報の情報量を少なくすることができる。
【００２１】
（５）  また、本発明の一態様による基地局装置の前記情報量決定部は、前記送信情報量取得部が取得した送信情報の情報量が多くなるに従って、前記端末装置が前記基地局装置に対して通知するチャネルの受信状態情報の情報量を多くする。
本発明では、基地局装置との通信量が少ない端末装置は、基地局装置との通信量が多い端末装置に比べて、受信状態情報の情報量を少なくすることができる。また、基地局装置との通信量が多い端末装置については、チャネルの詳細な受信状態情報が得られるので、その端末装置に送信する送信情報について適切なスケジューリングを行うことができる。
【００２２】
（６）  また、本発明の一態様による基地局装置は、前記端末装置に送信する送信情報を蓄積する送信情報蓄積部を備え、前記送信情報量取得部は、前記端末装置に送信する送信情報の情報量として、前記送信情報蓄積部が蓄積する送信情報の情報量を取得する。
本発明では、送信情報蓄積部が蓄積する端末装置宛ての送信情報の情報量に基づいて、端末装置が基地局装置に対して通知するチャネルの受信状態情報の情報量を情報量決定部が決定することができる。
【００２３】
（７）  また、本発明の一態様による基地局装置は、前記端末装置に送信する送信情報を蓄積する送信情報蓄積部を備え、前記送信情報量取得部は、前記端末装置に送信する送信情報の情報量として、前記送信情報蓄積部が出力する送信情報のビットレートを取得する。
本発明では、送信情報蓄積部が出力する端末装置宛ての送信情報のビットレートに基づいて、端末装置が基地局装置に対して通知するチャネルの受信状態情報の情報量を情報量決定部が決定することができる。
【００２４】
（８）  また、本発明の一態様による基地局装置の前記情報量決定部は、前記送信情報量取得部が取得した送信情報の情報量に基づいて、前記端末装置が前記基地局装置に対して通知するチャネルの受信状態情報の情報量を３種類以上の情報量の中から決定する。
本発明では、端末装置が基地局装置に対して通知するチャネルの受信状態情報の情報量を３種類以上の情報量の中から情報量決定部が決定するようにしたので、チャネル受信状態情報の情報量を２種類の情報量の中から決定する場合に比べて、送信情報量取得部が取得した送信情報の情報量により適した情報量を決定することができる。
【００２５】
（９）  また、本発明の一態様による基地局装置は、前記端末装置から前記基地局装置が受信する信号の最大ドップラー周波数を測定する最大ドップラー周波数測定部を備え、前記情報量決定部は、前記送信情報量取得部が取得した送信情報の情報量と、前記最大ドップラー周波数測定部が測定する最大ドップラー周波数とに基づいて、前記端末装置が前記基地局装置に対して通知するチャネルの受信状態情報の情報量を決定する。
本発明では、送信情報量取得部が取得した送信情報の情報量と、最大ドップラー周波数測定部が測定する最大ドップラー周波数とに基づいて、端末装置が基地局装置に対して通知するチャネルの受信状態情報の情報量を情報量決定部が決定することができる。
【００２６】
（１０）  また、本発明の一態様による基地局装置の前記情報量決定部は、前記最大ドップラー周波数測定部が測定する最大ドップラー周波数が大きくなるに従って、前記端末装置が前記基地局装置に対して通知するチャネルの受信状態情報の情報量を多くする。
本発明では、最大ドップラー周波数が大きい場合、例えば、端末装置が高速で移動している場合に、端末装置から基地局装置に対して送信する受信状態情報の情報量を多くすることによって、端末装置の受信状態を正確に把握することができる。
【００２７】
（１１）  また、本発明の一態様による基地局装置は、前記情報量決定部は、前記送信情報量取得部が取得した端末装置ごとの送信情報の情報量に基づいて、前記端末装置が前記基地局装置に対して通知するチャネルの受信状態情報の情報量を端末装置ごとに決定する。
本発明では、基地局装置の情報量決定部が、チャネルの受信状態情報の情報量を端末装置ごとに決定するようにしたので、各端末装置ごとに、チャネルの受信状態情報の情報量を決定することができる。
【００２８】
（１２）  また、本発明の一態様による基地局装置は、前記端末装置から通知されるチャネルの受信状態情報を受信する受信状態情報受信部と、前記受信状態情報受信部が受信したチャネルの受信状態情報に基づいて前記端末装置に対する送信情報を各チャネルに割り当てるチャネル割り当て部とを備える。
本発明では、受信状態情報受信部が、端末装置から情報量の多い受信状態情報を取得した場合には、詳細な受信状態情報に基づいてその端末装置に対してスケジューリングを行うことができる。
【００２９】
（１３）  また、本発明の一態様による基地局装置の前記チャネル割り当て部は、前記受信状態情報受信部が前記端末装置から受信したチャネルの受信状態情報の情報量が多くなるに従って、その端末装置に対する送信データをチャネルに優先して割り当てる。
本発明では、基地局装置との通信量が多い端末装置に対して、基地局装置との通信量が少ない端末装置よりも優先してチャネルを割り当ててスケジューリングを行うことができる。
【００３０】
（１４）  また、本発明の一態様による端末装置は、基地局装置と通信を行う端末装置であって、チャネルの受信状態情報の情報量を受信する受信部と、チャネルの受信状態を測定する受信状態測定部と、前記受信部が受信した情報量を使用して前記受信状態測定部が測定したチャネルの受信状態情報を生成する受信状態情報生成部と、前記受信状態情報生成部が生成した受信状態情報を前記基地局装置に送信する送信部とを備える。
【００３１】
（１５）  また、本発明の一態様による端末装置の前記受信状態情報生成部は、前記受信部が受信した情報量を使用して、前記受信状態測定部が受信状態を測定したチャネルの中から所定のチャネルの受信状態情報を生成し、前記送信部は、前記所定のチャネルの識別情報と前記受信状態情報生成部が生成した受信状態情報とを前記基地局装置に送信する。
【００３２】
（１６）  また、本発明の一態様による端末装置の前記受信状態情報生成部は、前記受信部が受信した情報量を使用して、前記受信状態測定部が受信状態を測定したチャネルの中から所定のチャネルの受信状態と隣接するチャネルの受信状態の差分値とを含む受信状態情報を生成し、前記送信部は、前記所定のチャネルの識別情報と前記隣接するチャネルの識別情報と前記受信状態情報生成部が生成した受信状態情報とを前記基地局装置に送信する。
【００３３】
（１７）  また、本発明の一態様による通信システムは、基地局装置と端末装置とを備える通信システムであって、前記基地局装置は、前記端末装置に送信する送信情報の情報量を取得する送信情報量取得部と、前記送信情報量取得部が取得した送信情報の情報量に基づいて、前記端末装置が前記基地局装置に対して通知するチャネルの受信状態情報の情報量を決定する情報量決定部と、前記情報量決定部が決定したチャネルの受信状態情報の情報量を前記端末装置に通知する通知部とを備え、前記端末装置は、前記通知部が通知するチャネルの受信状態情報の情報量を受信する受信部と、チャネルの受信状態を測定する受信状態測定部と、前記受信部が受信した情報量を使用して前記受信状態測定部が測定したチャネルの受信状態情報を生成する受信状態情報生成部と、前記受信状態情報生成部が生成した受信状態情報を前記基地局装置に送信する送信部とを備える。
【００３４】
（１８）  また、本発明の一態様による通信方法は、基地局装置と端末装置とを用いた通信方法であって、前記基地局装置は、前記端末装置に送信する送信情報の情報量を取得する送信情報量取得過程と、前記送信情報量取得過程で取得した送信情報の情報量に基づいて、前記端末装置が前記基地局装置に対して通知するチャネルの受信状態情報の情報量を決定する情報量決定過程と、前記情報量決定過程で決定したチャネルの受信状態情報の情報量を前記端末装置に通知する通知過程とを実行し、前記端末装置は、前記通知過程で通知されたチャネルの受信状態情報の情報量を受信する受信過程と、チャネルの受信状態を測定する受信状態測定過程と、前記受信過程で受信した情報量を使用して前記受信状態測定過程で測定したチャネルの受信状態情報を生成する受信状態情報生成過程と、前記受信状態情報生成過程で生成した受信状態情報を前記基地局装置に送信する送信過程とを実行する。
【発明の効果】
【００３５】
本発明の基地局装置、端末装置、通信システム及び通信方法では、受信状態情報の総通知量を抑えながら適応変調および適応スケジューリングを行うことができる。
【発明を実施するための最良の形態】
【００３６】
以下、図面を参照し、本発明の実施形態について説明する。後述する各実施形態では、直交周波数分割多重（Orthogonal Frequency Division Multiplex。以下ＯＦＤＭと記す）システムを採用し、少なくとも１つのサブキャリアからなるチャネル毎に適応変調および適応スケジューリング（チャネルの割り当て）を行うセルラーシステムを使用する場合について説明するが、これに限定されるものではない。
また、各実施形態では、受信状態情報としてパイロットシンボルに基づき算出した指標、例えば、ＣＮＲ（Carrier to Noise power Ratio：搬送波電力対雑音電力比）を用いる場合について説明するが、これに限定されるものではない。
【００３７】
（第１の実施形態）
以下、図面を参照して、本発明の第１の実施形態について説明する。
図１は、本発明の第１の実施形態における下りリンクのサブフレーム構成の一例を示した図である。図１に示すように、本実施形態におけるチャネルとは、１つあるいは複数のサブキャリアを意味している。また、サブフレームは送信単位を意味しており、このサブフレームに対して１回のスケジューリング処理においてチャネルの割り当てを行う。また、サブフレームを時間軸方向に所定の時間長ＴＴＩ（Transmission Time Interval）でＴ個（Ｔは自然数）に分割し、１チャネルにおける１ＴＴＩ内をスケジューリングの単位（以下ではリソースブロックと呼ぶ）とする場合について説明する。
【００３８】
図１の右上の図は、１つのサブフレームにおいて最初に送信されるリソースブロックの１つの詳細を示す。このリソースブロックは、１０個のサブキャリアと１０個のＴＴＩからなる。最初のＴＴＩでは、最初と最後のサブキャリアにパイロットシンボルが配置され、さらに別の２個のパイロットシンボルが等間隔に配置され、そして、その他のサブキャリアには下りリンク制御情報シンボルが配置される。２番目のＴＴＩには全ての下りリンク制御情報シンボルが配置される。３番目から１０番目のＴＴＩには、データシンボルが配置されるが、５番目のＴＴＩでは周波数の低い方から２番目、５番目、８番目のサブキャリアに下りリンク制御情報シンボルが配置され、９番目のＴＴＩでは、周波数の低い方から３番目、６番目、９番目のサブキャリアに下りリンク制御情報シンボルが配置される。図１の右下の図は、２番目から１０番目までに送信されるリソースブロックの１つの詳細を代表的に示す。このリソースブロックの配置は右上のものと同一であるが、下りリンク制御情報の代わりにデータシンボルが配置される。
なお、本発明の各実施形態の適用範囲は、図１のサブフレーム構成に限定されるものではなく、複数のチャネルを用いて通信を行うシステムにおいて、各端末装置における各チャネルの受信状態が異なる可能性のあるシステムに対して適用することが可能である。
【００３９】
図２は、本発明の第１の実施形態による基地局装置２００の構成を示す概略ブロック図である。この基地局装置２００は、送信バッファ部２０１（送信情報量取得部とも称する）、符号化部２０２、マッピング部２０３、ＩＦＦＴ（Inverse Fast Fourier Transformation：高速逆フーリエ変換）部２０４、ＧＩ（Guard Interval：ガード期間）挿入部２０５、Ｄ／Ａ（Digital-to-Analog）変換部２０６、無線送信部２０７（通知部とも称する）、アンテナ部２０８、無線受信部２０９（受信状態情報受信部とも称する）、Ａ／Ｄ（Analog-to-Digital）変換部２１０、デマッピング部２１１、復号化部２１２、通知要求決定部２１３（情報量決定部とも称する）、スケジューリング部２１４（チャネル割り当て部とも称する）、下りリンク制御情報生成部２１５、パイロット生成部２１６、受信状態情報記憶部２１７を有する。
【００４０】
送信バッファ部２０１は、入力された送信データ（送信情報）を送信先の端末装置３００毎にバッファに蓄積し、バッファに蓄積されている各端末装置宛の送信データの情報量、つまり、送信バッファ部２０１が蓄積する送信情報の情報量である送信データ量を取得し、符号化部２０２や通知要求決定部２１３へ出力する。
通知要求決定部２１３は、送信バッファ部２０１が取得した送信情報の情報量が多くなるに従って、端末装置３００が基地局装置２００に対して通知するチャネルの受信状態情報の情報量が多くなるように、基地局装置２００と通信する端末装置ごとに決定する。具体的には、送信バッファ部２０１からの各端末装置３００（図３）宛の送信データ量情報に基づいて、各端末装置３００に対して、全チャネルに関するそれぞれの受信状態を、１チャネル当たりｂ１ビット（ｂ１は自然数）で表現されるＬ１個（Ｌ１は、２ｂ１−１＜Ｌ１≦２ｂ１を満たす自然数）のレベルによって表す受信状態情報（以下、Ｌ１受信状態情報と記す）と、全チャネルに関するそれぞれの受信状態を１チャネル当たりｂ２ビット（ｂ２＞ｂ１を満たす自然数）で表現されるＬ２個（Ｌ２は２ｂ２−１＜Ｌ２≦２ｂ２を満たす自然数）のレベルによって表す受信状態情報（以下、Ｌ２受信状態情報と記す）とのどちらを通知要求するかを決定する。そして、通知要求決定部２１３は、その決定結果を通知要求情報として下りリンク制御情報生成部２１５へ出力する。例えば、ｂ１＝２、ｂ２＝４のときは、２＜Ｌ１≦４、８＜Ｌ２≦１６である。通知要求決定部２１３による通知要求情報の決定手順の詳細については後述する。
【００４１】
なお、全チャネルとは、各端末装置に関してそれぞれの端末装置宛の送信データが割り当てられる可能性のある全てのチャネルを表し、例えば、下りリンクに用いられる周波数帯域に含まれる全てのチャネル、各端末装置がそれぞれ受信すべき帯域として基地局装置との間で決定された下りリンクの一部の周波数帯域に含まれる全てのチャネル、または各端末装置が割り当てを要求する全てのチャネルなどを表す。以降の各実施形態においても同様である。
【００４２】
スケジューリング部２１４は、無線受信部２０９が受信したチャネルの受信状態情報に基づいて、端末装置３００に対する送信情報を各チャネルに割り当てる。例えば、無線受信部２０９が端末装置３００から受信したチャネルの受信状態情報の情報量（１チャネル当たりの受信状態情報のビット数）が多くなるに従って、その端末装置３００に対する送信データをチャネルに優先して割り当てる。つまり本実施形態の例では、Ｌ２受信状態情報を通知してきた端末装置に対する送信データを、Ｌ１受信状態情報を通知してきた端末装置に対する送信データよりも優先してチャネルに割り当てる。
具体的には、スケジューリング部２１４は、受信状態情報記憶部２１７に記憶された各端末装置３００から通知された受信状態情報を読み出し、その情報に基づいて各チャネルの各リソースブロックに端末装置を割り当てることによりスケジューリングし、それぞれのリソースブロックで使用する変調パラメータを選択することによりスケジューリングする。そして、スケジューリング部２１４は、そのスケジューリング結果（スケジューリング情報）とその変調パラメータ選択結果（変調パラメータ情報）とを、符号化部２０２、マッピング部２０３、下りリンク制御情報生成部２１５に出力する。
なお、スケジューリング部２１４によるスケジューリングは、さらに送信バッファ部２０１からの送信データ量情報に基づいて行っても良い。なお、スケジューリング部２１４の動作の詳細については後述する。
【００４３】
下りリンク制御情報生成部２１５は、通知要求決定部２１３からの通知要求情報およびスケジューリング部２１４からのスケジューリング情報と変調パラメータ情報とを含む下りリンク制御情報を生成し、マッピング部２０３に出力する。なお、通知要求情報が前回の通知要求情報と同じ端末装置に関しては、その通知要求情報を下りリンク制御情報に含めないようにしても良い。
また、例えば、Ｌ１受信状態情報の通知要求情報とＬ２受信状態情報の通知要求情報のうち一方については、該当する宛先の端末装置に関する要求通知情報に対しては下りリンク制御情報にビットを割り当てないようにしてもよい。
【００４４】
符号化部２０２は、スケジューリング部２１４から通知される下りリンクへの各端末装置の割り当て情報（スケジューリング情報）に従って送信バッファ部２０１から各端末装置３００宛の必要量の送信データを読み出し、さらにスケジューリング部２１４から通知される変調パラメータ情報およびスケジューリング情報に従って各端末装置３００宛の送信データに対して誤り訂正符号化処理を行い、データ系列を生成し、マッピング部２０３に出力する。
【００４５】
パイロット生成部２１６は、端末装置３００における受信状態測定のために送信信号へ挿入する、パロット系列を生成し、マッピング部２０３に出力する。
マッピング部２０３は、データ系列の各ビットをスケジューリング部２１４から通知される変調パラメータ情報およびスケジューリング情報に基づいたサブキャリア上の変調シンボルへマッピングし、下りリンク制御情報およびパイロット生成部２１６で生成されたパイロット系列を所定のサブキャリア上の所定の変調シンボルへマッピングを行い、ＩＦＦＴ部２０４に出力する。
例えば、データ系列は、図１の右上および右下の図におけるデータシンボルへスケジューリング情報に基づいてマッピングされ、パイロット系列は図１の所定のパイロットシンボルへ、下りリンク制御情報は図１の所定の下りリンク制御情報シンボルへ、それぞれマッピングされる。
【００４６】
ＩＦＦＴ部２０４は、マッピング部２０３から出力された変調シンボル系列をＩＦＦＴ処理して、時間軸のＯＦＤＭ信号に変換し、その変換した信号をＧＩ挿入部２０５に出力する。
ＧＩ挿入部２０５は、ＩＦＦＴ部２０４で生成されたＯＦＤＭ信号にガード期間（ＧＩ）を付加して、Ｄ／Ａ変換部２０６に出力する。
Ｄ／Ａ変換部２０６は、ガード期間が付加された信号をデジタル信号からアナログ信号に変換して、無線送信部２０７に出力する。
無線送信部２０７は、Ｄ／Ａ変換部２０６が出力するアナログ信号を、アップコンバートして、アンテナ部２０８より端末装置３００に送信する。無線送信部２０７は、例えば、通知要求決定部２１３が決定したチャネルの受信状態情報の情報量を、端末装置３００に送信する。
【００４７】
無線受信部２０９は、端末装置３００から通知されるチャネルの受信状態情報などの信号を、アンテナ部２０８を経て受信し、その受信したアナログ信号を、ダウンコンバートした後に、Ａ／Ｄ変換部２１０に出力する。
Ａ／Ｄ変換部２１０は、無線受信部２０９が出力するアナログ信号を、デジタル信号に変換し、デマッピング部２１１へ出力する。
デマッピング部２１１は、Ａ／Ｄ変換部２１０が出力するデジタル信号（変調シンボル）をデマッピングして受信状態情報とデータ系列とを分離し、受信状態情報を受信状態情報記憶部２１７へ出力し、データ系列を復号化部２１２へ出力する。
【００４８】
復号化部２１２は、デマッピング部２１１で取り出されたデータ系列を誤り訂正復号化し、受信データを取り出す。
受信状態情報記憶部２１７は、デマッピング部２１１が分離した各端末装置３００から通知された受信状態情報を、端末装置３００毎に記憶し、スケジューリング部２１４へ出力する。
【００４９】
図３は、本発明の第１の実施形態による端末装置３００の構成を示す概略ブロック図である。この端末装置３００は、アンテナ部３０１、無線受信部３０２（受信部とも称する）、Ａ／Ｄ変換部３０３、ＧＩ除去部３０４、ＦＦＴ（Fast Fourier Transformation：高速フーリエ変換）部３０５、デマッピング部３０６、復号化部３０７、受信状態測定部３０８、受信状態情報生成部３０９、符号化部３１０、マッピング部３１１、Ｄ／Ａ変換部３１２、無線送信部３１３（送信部とも称する）、復調制御部３１４を有する。
【００５０】
無線受信部３０２は、基地局装置２００から送信された無線信号を、アンテナ部３０１を経て受信し、Ａ／Ｄ変換部３０３に出力する。例えば、無線受信部３０２は、基地局装置２００からチャネルの受信状態情報の情報量を受信する。
Ａ／Ｄ変換部３０３は、無線受信部３０２が受信してダウンコンバートしたアナログ信号を、デジタル信号に変換し、ＧＩ除去部３０４に出力する。
ＧＩ除去部３０４は、Ａ／Ｄ変換部３０３が出力するデジタル信号から、ガード期間を除去し、このガード期間を除去した信号を、ＦＦＴ部３０５に出力する。
ＦＦＴ部３０５は、ＧＩ除去部３０４が出力したＯＦＤＭ信号を高速フーリエ変換することにより、変調シンボル系列に変換し、デマッピング部３０６に出力する。
デマッピング部３０６は、ＦＦＴ部３０５が出力する変調シンボル系列から、パイロットシンボルを分離し受信状態測定部３０８に出力する。また、デマッピング部３０６は、下りリンク制御情報をデマッピングし復調制御部３１４に出力する。さらに、デマッピング部３０６は、復調制御部３１４が出力するスケジューリング情報および変調パラメータ情報に従ってデータ系列をデマッピングし、復号化部３０７に出力する。なお、パイロットシンボルに基づいて変調シンボル系列に対して伝搬路補償を行っても良い。
【００５１】
復号化部３０７は、復調制御部３１４が出力するスケジューリング情報および変調パラメータ情報に従い、デマッピング部３０６が出力するデータ系列に対して誤り訂正復号化処理を行い、受信データを出力する。
復調制御部３１４は、デマッピング部３０６が出力する下りリンク制御情報からスケジューリング情報（端末装置３００宛の送信データに割り当てられたチャネルに関する情報）、変調パラメータ情報（割り当てられたチャネルの変調パラメータに関する情報）、および通知要求情報を抽出し、スケジューリング情報および変調パラメータ情報をデマッピング部３０６と復号化部３０７とに出力し、通知要求情報を受信状態情報生成部３０９に出力する。
【００５２】
なお、下りリンク制御情報が基地局装置２００において予め誤り訂正符号化されている場合は、誤り訂正復号化をする。また、基地局装置２００が、通知要求情報が前回と同じである端末装置３００に対しては通知要求情報を通知しないシステムでは、下りリンク制御情報に自端末装置３００宛の通知要求情報が存在しない場合に相当するので、その場合には、前回基地局装置２００へ通知したものと同じ受信状態情報を生成するように受信状態情報生成部３０９へ指示する。
さらに、基地局装置２００が、Ｌ１受信状態情報の通知要求情報とＬ２受信状態情報の通知要求情報のうち一方については、下りリンク制御情報にビットを割り当てないようなシステムでは、下りリンク制御情報に自端末装置３００宛の通知要求情報が存在しない場合に相当するので、その場合には、該当する受信状態情報を生成するように受信状態情報生成部３０９へ指示する。
【００５３】
受信状態測定部３０８は、デマッピング部３０６が出力するパイロットシンボルを用いて、各チャネルにおける受信状態を測定し、この受信状態測定結果を受信状態情報生成部３０９に出力する。なお、本実施形態では、パイロットシンボルを用いて受信状態を測定する場合について説明するが、データシンボルを用いた受信状態測定や、受信データの誤り訂正復号判定結果を用いた受信状態測定を行うようにしても良い。
受信状態情報生成部３０９は、無線受信部３０２が受信した情報量を使用して、受信状態測定部３０８が測定したチャネルの受信状態情報を生成する。具体的には、受信状態情報生成部３０９は、復調制御部３１４が出力する通知要求情報に基づき、その通知要求情報がＬ１受信状態情報を要求する情報である場合は、受信状態測定部３０８が出力する各チャネルにおける受信状態測定結果からそれぞれＬ１個のレベルで表される受信状態情報を生成する。そして、受信状態情報生成部３０９は、生成した受信状態情報を、マッピング部３１１に出力する。また、受信状態情報生成部３０９は、通知要求情報がＬ２受信状態情報を要求する情報である場合は、受信状態測定部３０８から出力された各チャネルにおける受信状態測定結果からそれぞれＬ２個のレベルで表される受信状態情報を生成し、マッピング部３１１に出力する。
【００５４】
符号化部３１０は、基地局装置２００への送信データを誤り訂正符号化し、データ系列をマッピング部３１１に出力する。
マッピング部３１１は、受信状態情報生成部３０９が生成した受信状態情報と、符号化部３１０が出力したデータ系列とを変調シンボルにマッピングし、Ｄ／Ａ変換部３１２に出力する。なお、受信状態情報は、基地局装置２００への送信データとは別に基地局装置２００へ通知しても良い。
Ｄ／Ａ変換部３１２は、マッピング部３１１が出力する信号をアナログ信号に変換し、無線送信部３１３に出力する。
無線送信部３１３は、アナログ信号が出力するアナログ信号を、アップコンバートし、アンテナ部３０１から基地局装置２００に無線送信する。例えば、無線送信部３１３は、受信状態情報生成部３０９が生成した受信状態情報を、マッピング部３１１、Ｄ／Ａ変換部３１２を介して、基地局装置２００に送信する。
【００５５】
図４（ａ）〜図４（ｃ）は、本発明の第１の実施形態で使用するＬ１受信状態情報とＬ２受信状態情報について説明するための図である。図４（ａ）〜図４（ｃ）は、Ｌ１受信状態情報を１チャネル当たり４レベル（Ｌ１＝４、ｂ１＝２ビット）、Ｌ２受信状態情報を１チャネル当たり１６レベル（Ｌ２＝１６、ｂ２＝４ビット）の情報によって表す場合の、受信状態（ここでは受信状態としてＣＮＲを使用）と各レベルの対応関係の例を示している。
例えば、図４（ａ）のように、Ｌ２受信状態情報はＬ１受信状態情報の１レベルをＬ２／Ｌ１レベル（４レベル）に細分化するように設定しても良い。
また、図４（ｂ）のように、最低のレベルによって表される受信状態は同じとして他のレベルにおいてＬ２受信状態情報がＬ１受信状態情報の各レベルを細分化する（５レベルに細分化する）ように設定しても良い。
また、図４（ｃ）のように、Ｌ１受信状態情報に対してＬ２受信状態情報が必ずしも細分化の関係にないように設定しても良い。なお、図４（ａ）〜図４（ｃ）は、一例でありこれ以外の設定を用いても良い。
【００５６】
また、Ｌ１受信状態情報とＬ２受信状態情報の各レベルと受信状態（ＣＮＲ）との関係は、基地局装置２００での適応変調における変調パラメータと受信状態（ＣＮＲ）との対応関係（各変調パラメータ選択の際のＣＮＲ閾値など）に基づいて決定したり、スケジューリングを考慮して決定したり、受信状態（ＣＮＲ）のある範囲をＬ１等分またはＬ２等分して決定したりすることができるが、これらの方法に限定されるものではない。
【００５７】
図５は、本発明の第１の実施形態で使用するＬ１受信状態情報とＬ２受信状態情報の他の一例について説明するための図である。図５は、受信状態情報として変調方式（図５ではＱＰＳＫ、１６ＱＡＭ、６４ＱＡＭの３種類）とチャネル符号化率Ｒ（図５の例では１／３、１／２、３／４）との組み合わせであるＭＣＳ（Modulation and Coding Scheme）を、端末装置３００から基地局装置２００へ通知する場合の、受信状態（ＣＮＲ）とＬ１受信状態情報とＬ２受信状態情報の各レベルの対応関係の一例を示している。
図５では、Ｌ１受信状態情報として１チャネル当たり４レベル（Ｌ１＝４、ｂ１＝２ビット）のＭＣＳ、Ｌ２受信状態情報として１チャネル当たり８レベル（Ｌ１＝８、ｂ２＝３ビット）のＭＣＳを表す場合の例を示している。Ｌ１受信状態情報については、ｂ１＝２ビットで定まる４つのレベルに応じて、「無送信」、「ＱＰＳＫ，Ｒ＝１／３」、「１６ＱＡＭ，Ｒ＝１／３」、「１６ＱＡＭ，Ｒ＝１／２」を指定する。ここで、ＱＰＳＫは４値位相変調、１６ＱＡＭは１６値直交振幅変調、Ｒは冗長度を意味する。Ｌ２受信状態情報については、ｂ２＝３ビットで定まる８つの状態に応じて、「無送信」、「ＱＰＳＫ，Ｒ＝１／３」、「ＱＰＳＫ，Ｒ＝１／２」、「１６ＱＡＭ，Ｒ＝１／３」、「ＱＰＳＫ，Ｒ＝３／４」、「１６ＱＡＭ，Ｒ＝１／２」、「１６ＱＡＭ，Ｒ＝３／４」、「６４ＱＡＭ，Ｒ＝３／４」を指定する。ここで、６４ＱＡＭは６４値直交振幅変調を意味する。
【００５８】
図４（ａ）〜図４（ｃ）、図５で説明したように、Ｌ２受信状態情報は各チャネルのより詳細な受信状態を通知することが可能であるが端末装置３００から基地局装置２００へ通知する情報量（ビット数）が大きく、Ｌ１受信状態情報は通知する各チャネルの受信状態は粗くなるが情報量は小さくできる。
【００５９】
図６は、本発明の第１の実施形態による基地局装置２００の通知要求決定部２１３の処理を示すフローチャートである。すなわち、図６は、通知要求決定部２１３における通知要求情報の決定動作を示している。
まず、通知要求決定部２１３は、送信バッファ部２０１から各端末装置３００宛の送信データ量を取得する（ステップＳ６０１）。そして、通知要求決定部２１３は、それぞれの端末装置（端末装置３００−１から端末装置３００−Ｎ（Ｎは、２以上の自然数））について以下の処理を繰り返す（ステップＳ６０２からＳ６０６のループ１）。
次に、通知要求決定部２１３は、それぞれの端末装置について、その端末装置宛の送信データ量と、所定の閾値、例えば全端末装置宛の送信データ量の平均値とを比較し（ステップＳ６０３）、送信データ量が前記閾値以上である場合は、その端末装置に対してＬ２受信状態情報を要求することを選択し（ステップＳ６０４）、送信データ量が前記閾値未満である場合は、その端末装置に対してＬ１受信状態情報を要求することを選択する（ステップＳ６０５）。
【００６０】
なお、本実施形態では、各端末装置へ基地局装置２００が送信するデータのトラフィック量の大小を判定し、通知要求情報の決定に用いる所定の閾値として、「全端末装置宛の送信データ量の平均値」を用いた場合について説明した。しかしながら、通知要求情報の決定に用いる所定の閾値は、これに限定されるものではなく、例えば、Ｌ１受信状態情報を通知する端末装置数と、Ｌ２受信状態情報を通知する端末装置数が予め定めた割合となるように定めた値や、通知要求情報に応じて全端末装置から通知される受信状態情報の総情報量が予め定めた値以下となるような端末装置数の割合を実現する値のように、各端末装置へ基地局装置が送信するデータのトラフィック量の大小を判定できる指標を、閾値として用いても良い。
【００６１】
また、通知要求情報の決定に用いる所定の閾値の大きさは、０より大きく、送信バッファ部２０１に蓄積可能な各端末装置当たりの最大送信データ量以下の値であることが望ましい。
【００６２】
図７は、本発明の第１の実施形態による基地局装置２００のスケジューリング部２１４の処理を示すフローチャートである。すなわち、図７は、スケジューリング部２１４におけるスケジューリング動作と変調パラメータ選択動作について示している。
スケジューリング部２１４は、受信状態情報記憶部２１７から各端末装置から通知された受信状態情報を読み込む（ステップＳ７０１）。そして、スケジューリング部２１４は、Ｌ２受信状態情報を通知してきた各端末装置へ送信する送信データを、各端末装置の各チャネルの受信状態情報に基づいて、リソースブロックに割り当る（ステップＳ７０２）。
次に、スケジューリング部２１４は、ステップＳ７０２で割り当てた各リソースブロックについて、それぞれのリソースブロックに割り当てられた端末装置のそのチャネルにおける受信状態情報に基づいて、変調パラメータを選択する（ステップＳ７０３）。
【００６３】
次に、スケジューリング部２１４は、Ｌ１受信状態情報を通知してきた各端末装置へ送信する送信データを、各端末装置の受信状態情報に基づいて、ステップＳ７０２で割り当てた残りのリソースブロックに割り当てる（ステップＳ７０４）。
そして、スケジューリング部２１４は、ステップＳ７０４で割り当てた各リソースブロックについて、それぞれのリソースブロックに割り当てられた各端末装置の受信状態情報に基づいて、変調パラメータを選択する（ステップＳ７０５）。
次に、スケジューリング部２１４は、スケジューリング結果（スケジューリング情報）と変調パラメータ選択結果（変調パラメータ情報）を、符号化部２０２、マッピング部２０３、下りリンク制御情報生成部２１５に出力する（ステップＳ７０６）。
【００６４】
図８は、本発明の第１の実施形態における受信状態情報の通知要求の決定方法について説明するための図である。図８は、ある端末装置における、各チャネルの受信状態（図８では受信状態としてＣＮＲを使用）の一例と、そのとき各チャネルで選択可能な最大伝送速度を実現する変調パラメータ（図８では変調パラメータとして変調方式とチャネル符号化率の組み合わせである８種類のＭＣＳ、すなわち、ＭＣＳ０〜ＭＣＳ７を使用し、番号が大きいほど伝送レートの高いＭＣＳとする）に対して、その端末装置宛の送信データ量が小さい場合（ケース１）と大きい場合（ケース２）のそれぞれについて各チャネルのリソースブロックに送信データを割り当て可能かどうかの一例を示した図である。
【００６５】
なお、最大変調パラメータは、各チャネル内における受信状態の平均に基づいて決定する場合を示している。また、Ｌ１受信状態情報では１チャネル当たり２ビットを用いて下線を付したＭＣＳ０、ＭＣＳ２、ＭＣＳ４、ＭＣＳ６の４レベルから選択して通知しており、Ｌ２受信状態情報では１レベル当たり３ビットを用いて全８レベルから選択して通知している。この点は、図４において既に述べたとおりである。
図８に示すように、送信バッファ部２０１に蓄積されている送信データ量が小さく、変調方式が伝送レートの低いＭＣＳの１個のリソースブロックによっても伝送可能なケース１においては、どのチャネルのリソースブロックに対しても送信データを割り当て可能となる。このようなケース１では、全チャネルに関するそれぞれの受信状態を多くのビット数を用いて詳細に表すＬ２受信状態情報を通知する必要はなく、全チャネルに関するそれぞれの受信状態を少ないビット数を用いて粗く表すＬ１受信状態情報を通知すれば十分である。
【００６６】
また、送信バッファ部２０１に蓄積されている送信データ量が大きく、１個のリソースブロックでは変調方式がＭＣＳ７以上であるチャネル３のリソースブロックのみで伝送可能となるケース２においては、割り当て可能なリソースブロックを抽出して送信データを割り当てなければならない。このようなケース２では、４レベルで粗いためにＭＣＳ７を通知できないＬ１受信状態情報に基づくスケジューリングでは複数のリソースブロックを割り当てることとなるため非効率であり、全レベルを詳細に通知できるＬ２受信状態情報を通知することによって詳細なスケジューリングを行うことが好ましい。
なお、以降の実施形態においても同様である。
【００６７】
このように、本実施形態によれば、複数の端末装置３００から基地局装置２００へ受信状態情報を通知する際に、各端末装置宛の下りリンク送信データ量に応じて、全チャネルに関するそれぞれの受信状態を１チャネル当たりｂ１ビットで表現されるＬ１個のレベルによって表すＬ１受信状態情報を通知するか、１チャネル当たりｂ２ビット（ｂ２＞ｂ１）で表現されるＬ２個のレベルによって表すＬ２受信状態情報を通知するかを選択する。
そのため、下りリンクで多くのリソースブロックを割り当て、多くの送信データを送信する必要のある端末装置については、各チャネルの受信状態を多くのレベル数を用いて詳細に表したＬ２受信状態情報に基づく効率的なスケジューリングおよび適応変調を優先的に行うことが可能となり、より高速な伝送が実現できる。
【００６８】
一方、下りリンクで送信すべきデータが比較的少ない端末装置については、各チャネルの受信状態をより少ないレベル数で粗く表したＬ１受信状態情報に基づいてスケジューリングおよび適応変調を行うことにより、それらの端末装置から上りリンクを用いて通知する受信状態情報の情報量を削減することができる。
【００６９】
以上から、システム全体において、各端末装置からの上りリンクでの受信状態情報の総通知量を抑えながらも、高速・大容量の通信を必要とする端末装置に対しては効率的なスケジューリングと適応変調を適用することが可能となる。
【００７０】
（第２の実施形態）
次に、本発明の第２の実施形態について説明する。
第１の実施形態では、基地局装置２００からそれぞれの端末装置３００へ通知要求する受信状態情報として、全チャネルに関するそれぞれの受信状態を１チャネル当たりｂ１ビットで表現されるＬ１個のレベルによって表すＬ１受信状態情報と、全チャネルに関するそれぞれの受信状態を１チャネル当たりｂ２ビット（ｂ２＞ｂ１）で表現されるＬ２個のレベルによって表すＬ２受信状態情報とのどちらかを選択する場合について説明した。
第２の実施形態における基地局装置９００は、通知要求する受信状態情報として、受信状態が良好な所定数Ｍ個（Ｍは自然数かつ全チャネル数未満）のチャネルに関するＬ１受信状態情報およびＬ２受信状態情報にそれぞれＭ個のチャネルの識別情報を含めたもの（以下、Ｌ１−Ｍ受信状態情報およびＬ２−Ｍ受信状態情報と記す）のどちらか一方を選択する。
【００７１】
図９は、本発明の第２の実施形態による基地局装置９００の構成を示す概略ブロック図である。この基地局装置９００は、送信バッファ部２０１、符号化部２０２、マッピング部２０３、ＩＦＦＴ部２０４、ＧＩ挿入部２０５、Ｄ／Ａ変換部２０６、無線送信部２０７、アンテナ部２０８、無線受信部２０９、Ａ／Ｄ変換部２１０、デマッピング部２１１、復号化部２１２、通知要求決定部９１３、スケジューリング部９１４、下りリンク制御情報生成部２１５、パイロット生成部２１６、受信状態情報記憶部９１７を有する。
【００７２】
基地局装置９００において、基地局装置２００の通知要求決定部２１３に相当する通知要求決定部９１３、基地局装置２００のスケジューリング部２１４に相当するスケジューリング部９１４、および基地局装置２００の受信状態情報記憶部２１７に相当する受信状態情報記憶部９１７が、第1の実施形態（図２）とは異なる。基地局装置９００のその他の構成については、第１の実施形態と同様であるので、その説明を省略する。
【００７３】
通知要求決定部９１３は、送信バッファ部２０１からの各端末装置宛の送信データ量情報に基づいて、各端末装置３００に対して、Ｌ１−Ｍ受信状態情報と、Ｌ２−Ｍ受信状態情報とのどちらを通知要求するかを決定し、その決定結果を通知要求情報として下りリンク制御情報生成部２１５へ出力する。なお、通知要求情報の決定手順の詳細については後述する。本実施形態では、Ｌ１−Ｍ受信状態情報とＬ２−Ｍ受信状態情報とには、全てのチャネルの中の所定のチャネル（Ｍ個のチャネル）の識別情報と、その所定のチャネルの受信状態を示す情報とが含まれている。
【００７４】
スケジューリング部９１４は、受信状態情報記憶部９１７に記憶された各端末装置３００から通知された受信状態情報を読み出し、その情報に基づいて各チャネルの各リソースブロックに端末装置１０００を割り当てることによりスケジューリングし、それぞれのリソースブロックで使用する変調パラメータを選択し、そのスケジューリング結果（スケジューリング情報）とその変調パラメータ選択結果（変調パラメータ情報）とを出力する。
なお、スケジューリング部９１４によるスケジューリングは、さらに送信バッファ部２０１からの送信データ量情報に基づいて行っても良い。なお、スケジューリング部９１４の動作の詳細については後述する。
受信状態情報記憶部９１７は、デマッピング部２１１が分離した各端末装置１０００から通知された受信状態情報を対応するチャネルの識別情報とともに端末装置毎に記憶し、スケジューリング部９１４へ出力する。
【００７５】
図１０は、本発明の第２の実施形態による端末装置１０００の構成を示す概略ブロック図である。この端末装置１０００は、アンテナ部３０１、無線受信部３０２、Ａ／Ｄ変換部３０３、ＧＩ除去部３０４、ＦＦＴ部３０５、デマッピング部３０６、復号化部３０７、受信状態測定部３０８、受信状態情報生成部１００９、符号化部３１０、マッピング部３１１、Ｄ／Ａ変換部３１２、無線送信部３１３、復調制御部３１４を有する。
【００７６】
端末装置１０００において、端末装置３００の受信状態情報生成部３０９に相当する受信状態情報生成部１００９が第１の実施形態（図３）とは異なる。端末装置１０００のその他の構成については、第１の実施形態と同様であるので、その説明を省略する。
【００７７】
受信状態情報生成部１００９は、無線受信部３０２が受信した情報量を使用して、受信状態測定部３０８が受信状態を測定したチャネルの中から所定のチャネルの受信状態情報（Ｌ１−Ｍ受信状態情報、又は、Ｌ２−Ｍ受信状態情報）を生成する。具体的には、受信状態測定部３０８から出力される受信状態測定結果の良好なチャネルをＭ個選択し、復調制御部３１４から出力された通知要求情報に基づき、その通知要求情報がＬ１−Ｍ受信状態情報を要求する情報である場合は、そのＭ個のチャネルの識別情報とそれぞれＬ１個のレベルで表されるそのＭ個のチャネルの受信状態測定結果を表す受信状態情報を生成する。そして、受信状態情報生成部１００９は、生成した受信状態情報を、マッピング部３１１に出力する。また、受信状態情報生成部１００９は、通知要求情報がＬ２−Ｍ受信状態情報を要求する情報である場合は、そのＭ個のチャネルの識別情報とそれぞれＬ２個のレベルで表されるＭ個のチャネルの受信状態測定結果を表す受信状態情報を生成し、マッピング部３１１に出力する。
無線送信部３１３は、所定のチャネルの識別情報と受信状態情報生成部１００９が生成した受信状態情報とを、アンテナ部３０１から基地局装置２００に送信する。
【００７８】
図１１は、本発明の第２の実施形態による基地局装置９００の通知要求決定部９１３の処理を示すフローチャートである。すなわち、図１１は、通知要求決定部９１３における通知要求情報の決定動作を示している。
まず、通知要求決定部９１３は、送信バッファ部２０１から各端末装置宛の送信データ量を取得する（ステップＳ１１０１）。通知要求決定部９１３は、それぞれの端末装置（端末装置１０００−１から端末装置１０００−Ｎ）について以下の処理を繰り返す（ステップＳ１１０２からＳ１１０６のループ２）。
つまり、通知要求決定部９１３は、それぞれの端末装置について、その端末装置宛の送信データ量と、所定の閾値、例えば全端末装置宛の送信データ量の平均値とを比較し（ステップＳ１１０３）、送信データ量が前記閾値以上である場合は、その端末装置に対してＬ２−Ｍ受信状態情報を要求することを選択し（ステップＳ１１０４）、送信データ量が前記閾値未満である場合は、その端末装置１０００−ｎに対してＬ１−Ｍ受信状態情報を要求することを選択する（ステップＳ１１０５）。
【００７９】
なお、本実施形態では、各端末装置１０００へ基地局装置９００が送信するデータのトラフィック量の大小を判定し、通知要求情報の決定に用いる所定の閾値として、「全端末装置宛の送信データ量の平均値」を用いた場合について説明した。
しかしながら、通知要求情報の決定に用いる所定の閾値は、これに限定されるものではなく、例えば、Ｌ１−Ｍ受信状態情報を通知する端末装置数と、Ｌ２−Ｍ受信状態情報を通知する端末装置数が予め定めた割合となるように定めた値や、通知要求情報に応じて全端末装置から通知される受信状態情報の総情報量が予め定めた値以下となるような端末装置数の割合を実現する値のように、各端末装置１０００へ基地局装置９００が送信するデータのトラフィック量の大小を判定できる指標であれば、その他の指標を用いても良い。
【００８０】
また、通知要求情報の決定に用いる所定の閾値の大きさは、０より大きく、送信バッファ部２０１に蓄積可能な各端末装置当たりの最大送信データ量以下の値であることが望ましい。
【００８１】
図１２は、本発明の第２の実施形態による基地局装置９００のスケジューリング部９１４の処理を示すフローチャートである。すなわち、図１２は、スケジューリング部９１４におけるスケジューリング動作と変調パラメータ選択動作について示している。
スケジューリング部９１４は、受信状態情報記憶部９１７から各端末装置から通知された受信状態情報を読み込む（ステップＳ１２０１）。
そして、スケジューリング部９１４は、Ｌ２−Ｍ受信状態情報を通知してきた各端末装置へ送信する送信データを、各端末装置の通知された各チャネルの受信状態情報に基づいて、リソースブロックに割り当てる（ステップＳ１２０２）。
【００８２】
次に、スケジューリング部９１４は、ステップＳ１２０２で割り当てた各リソースブロックについて、それぞれのリソースブロックに割り当てられた端末装置の当該チャネルにおける受信状態情報に基づいて、変調パラメータを選択する（ステップＳ１２０３）。
次に、スケジューリング部９１４は、Ｌ１−Ｍ受信状態情報を通知してきた各端末装置へ送信する送信データを、各端末装置の受信状態情報に基づいて、ステップＳ１２０２で割り当てた残りのリソースブロックに割り当てる（ステップＳ１２０４）。
そして、スケジューリング部９１４は、ステップＳ１２０４で割り当てた各リソースブロックについて、それぞれのリソースブロックに割り当てられた各端末装置の受信状態情報に基づいて、変調パラメータを選択する（ステップＳ１２０５）。
次に、スケジューリング部９１４は、スケジューリング結果（スケジューリング情報）と変調パラメータ選択結果（変調パラメータ情報）を、符号化部２０２、マッピング部２０３、下りリンク制御情報生成部２１５に出力する（ステップＳ１２０６）。
【００８３】
このように、本実施形態によれば、複数の端末装置１０００から基地局装置９００へ受信状態情報を通知する際に、各端末装置宛の下りリンク送信データ量に応じて、受信状態が良好な所定数Ｍ個のチャネルに関する受信状態にそれぞれＭ個のチャネルの識別情報を含めたＬ１−Ｍ受信状態情報を通知するか、受信状態の良好な所定数Ｍ個のチャネルに関する受信状態にそれぞれＭ個のチャネルの識別情報を含めたＬ２−Ｍ受信状態情報を通知するかを選択する。
【００８４】
そのため、下りリンクで多くのリソースブロックを割り当て、多くの送信データを送信する必要のある端末装置については、受信状態の良好なチャネルに関する受信状態を多くのレベル数を用いて詳細に表したＬ２−Ｍ受信状態情報に基づく効率的なスケジューリングおよび適応変調を優先的に行うことが可能となり、より高速な伝送が実現できる。
【００８５】
一方、下りリンクで送信すべきデータが比較的少ない端末装置については、受信状態の良好なチャネルに関する受信状態をより少ないレベル数で粗く表したＬ１−Ｍ受信状態情報に基づいてスケジューリングおよび適応変調を行うことにより、それらの端末装置から上りリンクを用いて通知する受信状態情報の情報量を削減することができる。
【００８６】
以上から、システム全体において、各端末装置からの上りリンクでの受信状態情報の総通知量を抑えながらも、高速・大容量の通信を必要とする端末装置に対しては効率的なスケジューリングと適応変調を適用することが可能となる。
【００８７】
なお、本実施形態では、Ｌ１−Ｍ受信状態情報およびＬ２−Ｍ受信状態情報として、受信状態が良好な所定数Ｍ個のチャネルそれぞれに関するチャネルの識別情報と受信状態を表す受信状態情報を用いる場合について説明したが、これに代わって、受信状態が良好な所定数Ｍ個のチャネルに関するチャネルの識別情報とＭ個のチャネルにおける受信状態の平均値をＬ１個またはＬ２個のレベルで表す受信状態情報を用いても良い。
【００８８】
（第３の実施形態）
次に、本発明の第３の実施形態について説明する。
第１の実施形態では、基地局装置２００からそれぞれの端末装置３００へ通知要求する受信状態情報として、全チャネルに関するそれぞれの受信状態を１チャネル当たりｂ１ビットで表現されるＬ１個のレベルによって表すＬ１受信状態情報と、全チャネルに関するそれぞれの受信状態を１チャネル当たりｂ２ビット（ｂ２＞ｂ１）で表現されるＬ２個のレベルによって表すＬ２受信状態情報とのどちらかを選択する場合について説明した。
第３の実施形態における基地局装置１３００は、通知要求する受信状態情報として、最初のチャネルに関する受信状態を表す情報と、他のチャネルに関しては受信状態を表す情報の隣接チャネルからの差分値を、ｂ１’ビット（ｂ１’は自然数）で表現されるＬ１’個（Ｌ１’は、２ｂ１’−１＜Ｌ１’≦２ｂ１’を満たす自然数）の差分レベルによって表した受信状態情報（以下、Ｌ１’差分受信状態情報と記す）と、ｂ２’ビット（ｂ２’＞ｂ１’を満たす自然数）で表現されるＬ２’個（Ｌ２’は、２ｂ２’−１＜Ｌ２’≦２ｂ２’を満たす自然数）の差分レベルによって表した受信状態情報（以下、Ｌ２’差分受信状態情報と記す）とのどちらか一方を選択する。
【００８９】
例えば、２ビットで表現される４個の差分レベルとして−２、−１、±０、＋１を用いる受信状態情報と、３ビットで表現される８個の差分レベルとして−４、−３、−２、−１、±０、＋１、＋２、＋３を用いる受信状態情報との一方を選択する。また、例えば、２ビットで表現される４個の差分レベルとして−４、−２、±０、＋２を用いる受信状態情報と、３ビットで表現される８個の差分レベルとして−４、−３、−２、−１、±０、＋１、＋２、＋３を用いる受信状態情報との一方を選択するようにしても良い。このように、ｂ１’ビットとｂ２’ビットで表現される差分レベルとして、それぞれのビット数の２の補数で表現される値を用いたり、表現される差分値の範囲がほぼ同じになるような値を設定して用いたりすることが好ましいが、これに限られるものではない。
【００９０】
図１３は、本発明の第３の実施形態による基地局装置１３００の構成を示す概略ブロック図である。この基地局装置１３００は、送信バッファ部２０１、符号化部２０２、マッピング部２０３、ＩＦＦＴ部２０４、ＧＩ挿入部２０５、Ｄ／Ａ変換部２０６、無線送信部２０７、アンテナ部２０８、無線受信部２０９、Ａ／Ｄ変換部２１０、デマッピング部２１１、復号化部２１２、通知要求決定部１３１３、スケジューリング部１３１４、下りリンク制御情報生成部２１５、パイロット生成部２１６、受信状態情報記憶部１３１７を有する。
【００９１】
基地局装置１３００において、基地局装置２００の通知要求決定部２１３に相当する通知要求決定部１３１３、基地局装置２００のスケジューリング部２１４に相当するスケジューリング部１３１４、基地局装置２００の受信状態情報記憶部２１７に相当する受信状態情報記憶部１３１７が、第1の実施形態（図２）とは異なる。基地局装置１３００のその他の構成については、第１の実施形態と同様であるので、その説明を省略する。
【００９２】
通知要求決定部１３１３は、送信バッファ部２０１からの各端末装置１４００宛の送信データ量情報に基づいて、各端末装置１４００に対して、Ｌ１’差分受信状態情報と、Ｌ２’差分受信状態情報とのどちらを通知要求するかを決定し、その決定結果を通知要求情報として下りリンク制御情報生成部２１５へ出力する。本実施形態では、Ｌ１’差分受信状態情報とＬ２’差分受信状態情報とには、所定のチャネルの受信状態と、隣接するチャネルの受信状態の差分値とが含まれている。なお、通知要求情報の決定手順の詳細については後述する。
【００９３】
スケジューリング部１３１４は、受信状態情報記憶部１３１７に記憶された各端末装置１４００から通知された受信状態情報を読み出し、その情報に基づいて各チャネルの各リソースブロックに端末装置を割り当てることによりスケジューリングし、それぞれのリソースブロックで使用する変調パラメータを選択し、そのスケジューリング結果（スケジューリング情報）とその変調パラメータ選択結果（変調パラメータ情報）とを、符号化部２０２、マッピング部２０３、下りリンク制御情報生成部２１５に出力する。なお、スケジューリング部１３１４によるスケジューリングは、さらに送信バッファ部２０１からの送信データ量情報に基づいて行っても良い。なお、スケジューリング部の動作の詳細については後述する。
【００９４】
受信状態情報記憶部１３１７は、デマッピング部２１１が分離した各端末装置から通知された受信状態情報を基にして、最初のチャネルの受信状態情報を起点として順番に各チャネルの差分値を加算することによって、各チャネルに関する受信状態を表す情報を復元し、端末装置毎に記憶し、スケジューリング部１３１４へ出力する。
【００９５】
図１４は、本発明の第３の実施形態による端末装置１４００の構成を示す概略ブロック図である。この端末装置１４００は、アンテナ部３０１、無線受信部３０２、Ａ／Ｄ変換部３０３、ＧＩ除去部３０４、ＦＦＴ部３０５、デマッピング部３０６、復号化部３０７、受信状態測定部３０８、受信状態情報生成部１４０９、符号化部３１０、マッピング部３１１、Ｄ／Ａ変換部３１２、無線送信部３１３、復調制御部３１４を有する。
【００９６】
端末装置１４００において、端末装置３００の受信状態情報生成部３０９に相当する受信状態情報生成部１４０９が第１の実施形態（図３）とは異なる。端末装置１４００のその他の構成については、第１の実施形態と同様であるので、その説明を省略する。
【００９７】
受信状態情報生成部１４０９は、無線受信部３０２が受信した情報量を使用して、受信状態測定部３０８が受信状態を測定したチャネルの中から、所定のチャネルの受信状態と隣接するチャネルの受信状態の差分値とを含む受信状態情報（Ｌ１’差分受信状態情報、又は、Ｌ２’差分受信状態情報）を生成する。具体的には、受信状態情報生成部１４０９は、受信状態測定部３０８から出力された最初のチャネルの受信状態測定結果を起点として、他のチャネルに関する受信状態測定結果の隣接チャネルからの差分値をそれぞれ算出し、復調制御部から出力された通知要求情報に基づいて、その差分値算出結果からｂ１’ビットで表現されるＬ１’個の差分レベルまたはｂ２’ビットで表現されるＬ２’個の差分レベルで表される情報の一方を算出し、その算出した最初のチャネル以外の各チャネルの情報と最初のチャネルの受信状態測定結果とを表す受信状態情報を生成し出力する。
無線送信部３１３は、所定のチャネルの識別情報と受信状態情報生成部１００９が生成した受信状態情報とを、アンテナ部３０１から基地局装置９００に送信する。なお、前記所定のチャネルを、例えば最初のチャネルのように予め定めたチャネルに固定する場合は、所定のチャネルの識別情報は不要である。
【００９８】
図１５は、本発明の第３の実施形態による基地局装置１３００の通知要求決定部１３１３の処理を示すフローチャートである。すなわち、図１５は、通知要求決定部１３１３における通知要求情報の決定動作を示している。
まず、通知要求決定部１３１３は、送信バッファ部２０１から各端末装置宛の送信データ量を取得する（ステップＳ１５０１）。通知要求決定部１３１３は、それぞれの端末装置（端末装置１４００−１から端末装置１４００−Ｎ）について以下の処理を繰り返す（ステップＳ１５０２からＳ１５０６のループ３）。
そして、通知要求決定部１３１３は、それぞれの端末装置について、その端末装置宛の送信データ量と、所定の閾値、例えば全端末装置宛の送信データ量の平均値とを比較し（ステップＳ１５０３）、送信データ量が前記閾値以上である場合は、その端末装置に対してＬ２’差分受信状態情報を要求することを選択し（ステップＳ１５０４）、送信データ量が前記閾値未満である場合は、その端末装置に対してＬ１’差分受信状態情報を要求することを選択する（ステップＳ１５０５）。
【００９９】
なお、本実施形態では、各端末装置へ基地局装置が送信するデータのトラフィック量の大小を判定し、通知要求情報の決定に用いる所定の閾値として、「全端末装置宛の送信データ量の平均値」を用いた場合について説明した。
しかしながら、通知要求情報の決定に用いる所定の閾値は、これに限定されるものではなく、例えば、Ｌ１’差分受信状態情報を通知する端末装置数と、Ｌ２’差分受信状態情報を通知する端末装置数が予め定めた割合となるように定めた値や、通知要求情報に応じて全端末装置から通知される受信状態情報の総情報量が予め定めた値以下となるような端末装置数の割合を実現する値のように、各端末装置へ基地局装置が送信するデータのトラフィック量の大小を判定できる指標であれば、その他の指標を用いても良い。
【０１００】
また、通知要求情報の決定に用いる所定の閾値の大きさは、０より大きく、送信バッファ部２０１に蓄積可能な各端末装置当たりの最大送信データ量以下の値であることが望ましい。
【０１０１】
図１６は、本発明の第３の実施形態による基地局装置１３００のスケジューリング部１３１４の処理を示すフローチャートである。すなわち、図１６は、スケジューリング部１３１４におけるスケジューリング動作と変調パラメータ選択動作について示している。
スケジューリング部１３１４は、受信状態情報記憶部１３１７から各端末装置から通知された受信状態情報または差分値の加算処理によって復元された受信状態情報を読み込む（ステップＳ１６０１）。
そして、スケジューリング部１３１４は、Ｌ２’差分受信状態情報を通知してきた各端末装置へ送信する送信データを、各端末装置の差分値の加算処理結果の各チャネルの受信状態情報に基づいて、リソースブロックに割り当る（ステップＳ１６０２）。
【０１０２】
次に、スケジューリング部１３１４は、ステップＳ１６０２で割り当てた各リソースブロックについて、それぞれのリソースブロックに割り当てられた端末装置の当該チャネルにおける復元された受信状態情報に基づいて、変調パラメータを選択する（ステップＳ１６０３）。
そして、スケジューリング部１３１４は、Ｌ１’受信状態情報を通知してきた各端末装置へ送信する送信データを、各端末装置の受信状態情報に基づいて、ステップＳ１６０２で割り当てた残りのリソースブロックに割り当てる（ステップＳ１６０４）。
次に、スケジューリング部１３１４は、ステップＳ１６０４で割り当てた各リソースブロックについて、それぞれのリソースブロックに割り当てられた各端末装置の復元された受信状態情報に基づいて、変調パラメータを選択する（ステップＳ１６０５）。
そして、スケジューリング部１３１４は、スケジューリング結果（スケジューリング情報）と変調パラメータ選択結果（変調パラメータ情報）を、符号化部２０２、マッピング部２０３、下りリンク制御情報生成部２１５に出力する（ステップＳ１６０６）。
【０１０３】
このように、本実施形態によれば、複数の端末装置１４００から基地局装置１３００へ受信状態情報を通知する際に、各端末装置宛の下りリンク送信データ量に応じて、最初のチャネルに関する受信状態を表す情報と他のチャネルに関しては受信状態を表す情報の隣接チャネルからの差分値をｂ１’ビットで表現されるＬ１’個の差分レベルによって表したＬ１’差分受信状態情報を通知するか、最初のチャネルに関する受信状態を表す情報と他のチャネルに関しては受信状態を表す情報の隣接チャネルからの差分値をｂ２’ビット（ｂ２’＞ｂ１’）で表現されるＬ２’個の差分レベルによって表したＬ２’差分受信状態情報を通知するかを選択する。
【０１０４】
そのため、下りリンクで多くのリソースブロックを割り当て、多くの送信データを送信する必要のある端末装置については、各チャネルの受信状態をレベル数の多い差分値で表した詳細なＬ２’差分受信状態情報に基づく効率的なスケジューリングおよび適応変調を優先的に行うことが可能となり、より高速な伝送が実現できる。
【０１０５】
一方、下りリンクで送信すべきデータが比較的少ない端末装置については、各チャネルの受信状態をレベル数のより少ない差分値で表した粗いＬ１’差分受信状態情報に基づいてスケジューリングおよび適応変調を行うことにより、それらの端末装置から上りリンクを用いて通知する受信状態情報の情報量を削減することができる。
【０１０６】
以上から、システム全体において、各端末装置からの上りリンクでの受信状態情報の総通知量を抑えながらも、高速・大容量の通信を必要とする端末装置に対しては効率的なスケジューリングと適応変調を適用することが可能となる。
【０１０７】
（第４の実施形態）
次に、本発明の第４の実施形態について説明する。
第１から第３の実施形態では、基地局装置からそれぞれの端末装置へ通知要求する受信状態情報を決定する基準として、送信バッファ部に蓄積されている各端末装置宛の送信データの量を用いる場合について説明した。
第４の実施形態における基地局装置１７００は、通知要求する受信状態情報を決定する基準として、送信バッファ部１７０１に蓄積されている各端末装置宛の送信データ量の時間変動量（以下、送信データの瞬時ビットレートと呼ぶ）またはその平均量（以下、送信データの平均ビットレートと呼ぶ）を用いる。
つまり、本実施形態における瞬時ビットレートおよび平均ビットレートは、通知要求情報に従って各端末装置が通知してきた受信状態情報に基づいて基地局装置が実際に送信するときに送信バッファ部１７０１に蓄積されている予想送信データ量を表す指標である。
【０１０８】
図１７は、本発明の第４の実施形態による基地局装置１７００の構成を示す概略ブロック図である。この基地局装置１７００は、本発明の第４の実施形態による基地局装置１７００の構成を示す概略ブロック図である。この基地局装置１７００は、送信バッファ部１７０１、符号化部２０２、マッピング部２０３、ＩＦＦＴ部２０４、ＧＩ挿入部２０５、Ｄ／Ａ変換部２０６、無線送信部２０７、アンテナ部２０８、無線受信部２０９、Ａ／Ｄ変換部２１０、デマッピング部２１１、復号化部２１２、通知要求決定部１７１３、スケジューリング部２１４、下りリンク制御情報生成部２１５、パイロット生成部２１６、受信状態情報記憶部２１７を有する。
【０１０９】
基地局装置１７００において、基地局装置２００の送信バッファ部２０１に相当する送信バッファ部１７０１、および基地局装置２００の通知要求決定部２１３に相当する通知要求決定部１７１３が、第1の実施形態（図２）とは異なる。基地局装置１７００のその他の構成については、第１の実施形態と同様であるので、その説明を省略する。
なお、ここでは、第１の実施形態に対して通知要求する受信状態情報を決定する基準を送信データの瞬時ビットレートまたは平均ビットレートに変更した場合について説明するが、同様にして第２から第４の実施形態についても適用可能である。
【０１１０】
送信バッファ部１７０１は、基地局装置１７００から端末装置に送信する送信情報の情報量として、送信バッファ部１７０１が、符号化部２０２に出力する送信情報のビットレートを取得し、通知要求決定部１７１３に出力する。例えば、送信バッファ部１７０１は、入力された送信データを送信先の端末装置毎にバッファに蓄積し、所定の時間内、例えば図１における１サブフレームの時間内に新たに送信バッファに追加された各端末装置宛の送信データ量すなわち送信データの瞬時ビットレート、もしくは、その送信データ瞬時ビットレートの所定時間、例えば所定サブフレーム数にわたる平均値である送信データの平均ビットレートを算出し、通知要求決定部１７１３へ出力する。
なお、各端末装置宛の送信データのビットレートとして、ネットワークの制御層や媒体アクセス制御層（Media Access Control層：ＭＡＣ層）などの上位層において、その送信データに対応付けられたサービス品質（Quality of Service：ＱｏＳ）情報によって指示されるビットレートを用いても良い。
この場合、各送信データに関するＱｏＳ情報が送信バッファ部１７０１に上位層から入力され、このＱｏＳ情報に基づいて各端末装置宛の送信データのビットレートを算出し、通知要求決定部１７１３へ出力する。
【０１１１】
通知要求決定部１７１３は、送信バッファ部１７０１からの各端末装置宛の送信データの瞬時ビットレートまたは送信データの平均ビットレートに基づいて、各端末装置に対して、全チャネルに関するそれぞれの受信状態を１チャネル当たりｂ１ビット（ｂ１は自然数）で表現されるＬ１個（Ｌ１は、２ｂ１−１＜Ｌ１≦２ｂ１を満たす自然数）のレベルによって表すＬ１受信状態情報と、全チャネルに関するそれぞれの受信状態を１チャネル当たりｂ２ビット（ｂ２＞ｂ１を満たす自然数）で表現されるＬ２個（Ｌ２は２ｂ２−１＜Ｌ２≦２ｂ２を満たす自然数）のレベルによって表すＬ２受信状態情報とのどちらを通知要求するかを決定し、その決定結果を通知要求情報として下りリンク制御情報生成部２１５へ出力する。
【０１１２】
なお、本実施形態において、端末装置の構成は、第１の実施形態による端末装置３００（図３）の構成と同様であるため、その説明を省略する。
【０１１３】
図１８は、本発明の第４の実施形態による基地局装置１７００の通知要求決定部１７１３の処理を示すフローチャートである。すなわち、図１８は、通知要求決定部１７１３における通知要求情報の決定動作を示している。
まず、通知要求決定部１７１３は、送信バッファ部１７０１から各端末装置宛の送信データの瞬時ビットレートまたは平均ビットレートを取得する（ステップＳ１８０１）。そして、通知要求決定部１７１３は、それぞれの端末装置（Ｎ台の端末装置）について以下の処理を繰り返す（ステップＳ１８０２からＳ１８０６のループ４）。
【０１１４】
つまり、通知要求決定部１７１３は、それぞれの端末装置について、その端末装置宛の送信データの瞬時ビットレートまたは平均ビットレートと、所定の閾値、例えば送信データの瞬時ビットレートまたは平均ビットレートの全端末装置の平均値とを比較し（ステップＳ１８０３）、送信データの瞬時ビットレートまたは平均ビットレートが前記閾値以上である場合は、その端末装置に対してＬ２受信状態情報を要求することを選択し（ステップＳ１８０４）、送信データの瞬時ビットレートまたは平均ビットレートが前記閾値未満である場合は、その端末装置に対してＬ１受信状態情報を要求することを選択する（ステップＳ１８０５）。
【０１１５】
なお、上記実施形態では、各端末装置へ基地局装置が送信するデータのトラフィック量の大小を判定し、通知要求情報の決定に用いる所定の閾値として、「全端末装置宛の送信データ量の平均値」を用いた場合について説明した。
しかしながら、通知要求情報の決定に用いる所定の閾値は、これに限定されるものではなく、例えば、Ｌ１受信状態情報を通知する端末装置数と、Ｌ２受信状態情報を通知する端末装置数が予め定めた割合となるように定めた値や、通知要求情報に応じて全端末装置から通知される受信状態情報の総情報量が予め定めた値以下となるような端末装置数の割合を実現する値のように、各端末装置へ基地局装置が送信するデータのトラフィック量の大小を判定できる指標であれば、その他の指標を用いても良い。
【０１１６】
また、通知要求情報の決定に用いる所定の閾値の大きさは、０より大きく、送信バッファ部に蓄積可能な各端末装置当たりの最大通信速度（ビットレート）以下の値であることが望ましい。
【０１１７】
このように、本実施形態によれば、複数の端末装置３００から基地局装置１７００へ受信状態情報を通知する際に、各端末装置宛の下りリンク送信データの瞬時ビットレートまたは平均ビットレートに応じて、全チャネルに関するそれぞれの受信状態を１チャネル当たりｂ１ビットで表現されるＬ１個のレベルによって表すＬ１受信状態情報を通知するか、１チャネル当たりｂ２ビット（ｂ２＞ｂ１）で表現されるＬ２個のレベルによって表すＬ２受信状態情報を通知するかを選択する。
【０１１８】
そのため、下りリンクで多くのリソースブロックを割り当て、単位時間当たりに多くの送信データを送信する必要のある端末装置については、各チャネルの受信状態を多くのレベル数を用いて詳細に表したＬ２受信状態情報に基づく効率的なスケジューリングおよび適応変調を優先的に行うことが可能となり、より高速な伝送が実現できる。
【０１１９】
一方、下りリンクで単位時間当たりに送信すべきデータが比較的少ない端末装置については、各チャネルの受信状態をより少ないレベル数で粗く表したＬ１受信状態情報に基づいてスケジューリングおよび適応変調を行うことにより、それらの端末装置から上りリンクを用いて通知する受信状態情報の情報量を削減することができる。
【０１２０】
以上から、システム全体において、各端末装置からの上りリンクでの受信状態情報の総通知量を抑えながらも、単位時間当たりに高速・大容量の通信を必要とする端末装置に対しては効率的なスケジューリングと適応変調を適用することが可能となる。
【０１２１】
（第５の実施形態）
第１の実施形態では、基地局装置２００からそれぞれの端末装置３００へ通知要求する受信状態情報として、全チャネルに関するそれぞれの受信状態を１チャネル当たりｂ１ビットで表現されるＬ１個のレベルによって表すＬ１受信状態情報と、全チャネルに関するそれぞれの受信状態を１チャネル当たりｂ２ビット（ｂ２＞ｂ１）で表現されるＬ２個のレベルによって表すＬ２受信状態情報の２種類のうちのどちらかを選択する場合について説明した。
第５の実施形態における基地局装置１９００は、通知要求する受信状態情報として、全チャネルに関するそれぞれの受信状態を１チャネル当たりｂ１ビット（ｂ１は自然数）で表現されるＬ１個（Ｌ１は、２ｂ１−１＜Ｌ１≦２ｂ１を満たす自然数）のレベルによって表すＬ１受信状態情報、全チャネルに関するそれぞれの受信状態を１チャネル当たりｂ２ビット（ｂ２＞ｂ１を満たす自然数）で表現されるＬ２個（Ｌ２は２ｂ２−１＜Ｌ２≦２ｂ２を満たす自然数）のレベルによって表すＬ２受信状態情報、および全チャネルに関するそれぞれの受信状態を１チャネル当たりｂ３ビット（ｂ３＞ｂ２を満たす自然数）で表現されるＬ３個（Ｌ３は２ｂ３−１＜Ｌ３≦２ｂ３を満たす自然数）のレベルによって表すＬ３受信状態情報の３種類の中から１つを選択する。
【０１２２】
図１９は、本発明の第５の実施形態による基地局装置１９００の構成を示す概略ブロック図である。この基地局装置１９００は、送信バッファ部２０１、符号化部２０２、マッピング部２０３、ＩＦＦＴ部２０４、ＧＩ挿入部２０５、Ｄ／Ａ変換部２０６、無線送信部２０７、アンテナ部２０８、無線受信部２０９、Ａ／Ｄ変換部２１０、デマッピング部２１１、復号化部２１２、通知要求決定部１９１３、スケジューリング部１９１４、下りリンク制御情報生成部２１５、パイロット生成部２１６、受信状態情報記憶部１９１７を有する。
【０１２３】
基地局装置１９００において、基地局装置２００の通知要求決定部２１３に相当する通知要求決定部１９１３、基地局装置２００のスケジューリング部２１４に相当するスケジューリング部１９１４、基地局装置２００の受信状態情報記憶部２１７に相当する受信状態情報記憶部１９１７が、第1の実施形態（図２）とは異なる。基地局装置１９００のその他の構成については、第１の実施形態と同様であるので、その説明を省略する。
【０１２４】
通知要求決定部１９１３は、送信バッファ部１７０１が取得した送信情報の情報量に基づいて、端末装置２０００が、基地局装置１９００に対して通知するチャネルの受信状態情報の情報量を、３種類の情報量の中から決定する。なお、通知要求決定部１９１３は、チャネルの受信状態情報の情報量を、３種類以上の情報量の中から決定するようにしてもよい。
具体的には、通知要求決定部１９１３は、送信バッファ部２０１からの各端末装置宛の送信データ量情報に基づいて、各端末装置に対して、Ｌ１受信状態情報、Ｌ２受信状態情報、およびＬ３受信状態情報の中からどの受信状態情報を通知要求するかを決定する。そして、通知要求決定部１９１３は、その決定結果を通知要求情報として下りリンク制御情報生成部２１５へ出力する。なお、通知要求情報の決定手順の詳細については後述する。
スケジューリング部１９１４は、受信状態情報記憶部１９１７に記憶された各端末装置から通知された受信状態情報を読み出し、その情報に基づいて各チャネルの各リソースブロックに端末装置を割り当てることによりスケジューリングし、それぞれのリソースブロックで使用する変調パラメータを選択し、そのスケジューリング結果（スケジューリング情報）とその変調パラメータ選択結果（変調パラメータ情報）とを出力する。なお、スケジューリングは、さらに送信バッファ部２０１からの送信データ量情報に基づいて行われても良い。なお、スケジューリング部１９１４の動作の詳細については後述する。
受信状態情報記憶部１９１７は、デマッピング部２１１が分離した各端末装置２０００から通知された受信状態情報を対応するチャネルの識別情報とともに端末装置毎に記憶し、スケジューリング部１９１４へ出力する。
【０１２５】
図２０は、本発明の第５の実施形態による端末装置２０００の構成を示す概略ブロック図である。この端末装置２０００は、アンテナ部３０１、無線受信部３０２、Ａ／Ｄ変換部３０３、ＧＩ除去部３０４、ＦＦＴ部３０５、デマッピング部３０６、復号化部３０７、受信状態測定部３０８、受信状態情報生成部２００９、符号化部３１０、マッピング部３１１、Ｄ／Ａ変換部３１２、無線送信部３１３、復調制御部３１４を有する。
【０１２６】
端末装置２０００において、端末装置３００の受信状態情報生成部３０９に相当する受信状態情報生成部２００９が第１の実施形態（図３）とは異なる。端末装置２０００のその他の構成については、第１の実施形態と同様であるので、その説明を省略する。
【０１２７】
受信状態情報生成部２００９は、復調制御部３１４から出力された通知要求情報に基づき、その通知要求情報がＬ１受信状態情報を要求する情報である場合は、受信状態測定部３０８から出力された各チャネルにおける受信状態測定結果からそれぞれＬ１個のレベルで表される受信状態情報を生成し、マッピング部３１１に出力する。
また、受信状態情報生成部２００９は、通知要求情報がＬ２受信状態情報を要求する情報である場合は、受信状態測定部３０８から出力された各チャネルにおける受信状態測定結果からそれぞれＬ２個のレベルで表される受信状態情報を生成し、マッピング部３１１に出力する。
また、受信状態情報生成部２００９は、通知要求情報がＬ３受信状態情報を要求する情報である場合は、受信状態測定部３０８から出力された各チャネルにおける受信状態測定結果からそれぞれＬ３個のレベルで表される受信状態情報を生成し、マッピング部３１１に出力する。
【０１２８】
図２１は、本発明の第５の実施形態による基地局装置１９００の通知要求決定部１９１３の処理を示すフローチャートである。すなわち、図２１は、通知要求決定部１９１３における通知要求情報の決定動作を示している。
まず、通知要求決定部１９１３は、送信バッファ部２０１から各端末装置宛の送信データ量を取得する（ステップＳ２１０１）。通知要求決定部１９１３は、それぞれの端末装置（端末装置２０００−１から端末装置２０００−Ｎ）について以下の処理を繰り返す（ステップＳ２１０２からＳ２１０７のループ５）。
【０１２９】
つまり、通知要求決定部１９１３は、それぞれの端末装置について、その端末装置宛の送信データ量と、所定の第１閾値、例えば全端末装置宛の送信データ量の総和の１／３の値と、前記第１閾値より大きい所定の第２閾値、例えば全端末装置宛の送信データ量の総和の２／３の値とを比較し（ステップＳ２１０３）、送信データ量が前記第２閾値以上である場合は、その端末装置に対してＬ３受信状態情報を要求することを選択し（ステップＳ２１０４）、送信データ量が前記第１閾値以上第２閾値未満である場合は、その端末装置に対してＬ２受信状態情報を要求することを選択し（ステップＳ２１０５）、送信データ量が前記第１閾値未満である場合は、その端末装置に対してＬ１受信状態情報を要求することを選択する（ステップＳ２１０６）。
【０１３０】
なお、上記実施形態では、各端末装置へ基地局装置が送信するデータのトラフィック量の大小を判定し、通知要求情報の決定に用いる所定の第１閾値および所定の第２閾値として、「全端末装置宛の送信データ量の総和の１／３の値および２／３の値」を用いた場合について説明した。
しかしながら、通知要求情報の決定に用いるこれら所定の閾値は、これに限定されるものではなく、例えば、Ｌ１受信状態情報を通知する端末装置数、Ｌ２受信状態情報を通知する端末装置数、およびＬ３受信状態情報を通知する端末装置数が予め定めた割合となるように定めた値や、通知要求情報に応じて全端末装置から通知される受信状態情報の総情報量が予め定めた値以下となるような端末装置数の割合を実現する値のように、各端末装置へ基地局装置が送信するデータのトラフィック量の大小を判定できる指標であれば、その他の指標を用いても良い。
【０１３１】
また、通知要求情報の決定に用いる所定の第１閾値および所定の第２閾値の大きさは、０より大きく、送信バッファ部に蓄積可能な各端末装置当たりの最大送信データ量以下の値であることが望ましい。
【０１３２】
図２２は、本発明の第５の実施形態による基地局装置１９００のスケジューリング部１９１４の処理を示すフローチャートである。すなわち、図２２は、スケジューリング部１９１４におけるスケジューリング動作と変調パラメータ選択動作を示している。
スケジューリング部１９１４は、受信状態情報記憶部から各端末装置から通知された受信状態情報を読み込む（ステップＳ２２０１）。
そして、スケジューリング部１９１４は、Ｌ３受信状態情報を通知してきた各端末装置へ送信する送信データを、各端末装置の通知された各チャネルの受信状態情報に基づいて、リソースブロックに割り当てる（ステップＳ２２０２）。
次に、スケジューリング部１９１４は、ステップＳ２２０２で割り当てた各リソースブロックについて、それぞれのリソースブロックに割り当てられた端末装置の当該チャネルにおける受信状態情報に基づいて、変調パラメータを選択する（ステップＳ２２０３）。
【０１３３】
そして、スケジューリング部１９１４は、Ｌ２受信状態情報を通知してきた各端末装置へ送信する送信データを、各端末装置の受信状態情報に基づいて、ステップＳ２２０２で割り当てた残りのリソースブロックから割り当てる（ステップＳ２２０４）。
次に、スケジューリング部１９１４は、ステップＳ２２０５で割り当てた各リソースブロックについて、それぞれのリソースブロックに割り当てられた各端末装置の受信状態情報に基づいて、変調パラメータを選択する（ステップＳ２２０６）。
次に、スケジューリング部１９１４は、Ｌ１受信状態情報を通知してきた各端末装置へ送信する送信データを、各端末装置の受信状態情報に基づいて、ステップＳ２２０２およびステップＳ２２０４で割り当てた残りのリソースブロックに割り当てる（ステップＳ２２０６）。
【０１３４】
そして、スケジューリング部１９１４は、ステップＳ２２０６で割り当てた各リソースブロックについて、それぞれのリソースブロックに割り当てられた各端末装置の受信状態情報に基づいて、変調パラメータを選択する（ステップＳ２２０７）。
次に、スケジューリング部１９１４は、スケジューリング結果（スケジューリング情報）と変調パラメータ選択結果（変調パラメータ情報）を、符号化部２０２、マッピング部２０３、下りリンク制御情報生成部２１５に出力する（ステップＳ２２０８）。
【０１３５】
なお、上記では３種類の受信状態情報の中から１つを選択する場合について説明したが、２種類以上の複数の種類の受信状態情報中から１つを選択するようにしても良い。
【０１３６】
このように、本実施形態によれば、複数の端末装置２０００から基地局装置１９００へ受信状態情報を通知する際に、各端末装置宛の下りリンク送信データ量に応じて、全チャネルに関するそれぞれの受信状態を１チャネル当たりｂ１ビットで表現されるＬ１個のレベルによって表すＬ１受信状態情報を通知するか、１チャネル当たりｂ２ビット（ｂ２＞ｂ１）で表現されるＬ２個のレベルによって表すＬ２受信状態情報を通知するか、１チャネル当たりｂ３ビット（ｂ３＞ｂ２＞ｂ１）で表現されるＬ３個のレベルによって表すＬ３受信状態情報を通知するかを選択する。そのため、下りリンクで多くのリソースブロックを割り当て、多くの送信データを送信する必要のある端末装置については、各チャネルの受信状態を多くのレベル数を用いて詳細に表したＬ３受信状態情報に基づく効率的なスケジューリングおよび適応変調を優先的に行うことが可能となり、より高速な伝送が実現できる。
【０１３７】
さらに、次に下りリンクで全端末装置の中で中程度のリソースブロックを割り当て、中程度の量の送信データを送信する必要のある端末装置については、各チャネルの受信状態をＬ３受信状態情報よりは少ないがＬ１受信状態情報よりは多いレベル数を用いて表したＬ２受信状態情報に基づいて、Ｌ３受信状態情報を通知してきた端末装置に次いで優先的にスケジューリングおよび適応変調を行うことが可能となり、下りリンクにおけるデータ伝送効率を落としすぎずに上りリンクを用いて通知する受信状態情報の情報量を削減することができる。
【０１３８】
一方、下りリンクで送信すべきデータが比較的少ない端末装置については、各チャネルの受信状態をより少ないレベル数で粗く表したＬ１受信状態情報に基づいてスケジューリングおよび適応変調を行うことにより、それらの端末装置から上りリンクを用いて通知する受信状態情報の情報量を削減することができる。
以上から、システム全体において、各端末装置からの上りリンクでの受信状態情報の総通知量を抑えながらも、高速・大容量の通信を必要とする端末装置に対しては効率的なスケジューリングと適応変調を適用することが可能となる。
【０１３９】
（第６の実施形態）
上述した第１から第５の実施形態では、ＯＦＤＭシステムを使用し、チャネルとは１つあるいは複数のサブキャリアを意味するものとして説明した。
本実施形態では、ＭＩＭＯ（Multiple Input Multiple Output）−ＯＦＤＭシステムにおける適用方法の一例について、各送信アンテナの１つあるいは複数のサブキャリアをそれぞれチャネルとする場合を説明する。
なお、本実施形態で用いる基地局装置と端末装置としては、第１の実施形態の基地局装置２００（図２）と端末装置（図３）と同様のものを用いることができるため、それらの説明を省略する。
【０１４０】
図２３は、本発明の第６の実施形態における下りリンクのサブフレーム構成の一例を示す図である。基地局装置は、Ａ本（Ａは２以上の整数）の送信アンテナａ１〜ａＡを備え、それらの送信アンテナａ１〜ａＡから異なる信号を端末装置に送信する。サブフレームは、アンテナａ１からアンテナａＡのそれぞれから送信されるＡ個の領域を含み、各領域はさらに周波数方向にＫ個（Ｋは自然数）の領域に分割されている。このＡ×Ｋ個の領域をそれぞれチャネルとし、このサブフレームを送信単位を意味するものとし、これを１回のスケジューリング処理においてチャネルの割り当てを行う範囲とする。
また、サブフレームを時間軸方向に所定の時間長ＴＴＩ（Transmission Time Interval）でＴ個（Ｔは自然数）に分割し、１チャネルにおける１ＴＴＩ内をスケジューリングの単位（リソースブロック）とする。
このようなサブフレーム構成のＭＩＭＯ−ＯＦＤＭシステムにおいても、チャネルあるいはリソースブロックという用語の示す領域が異なるのみで、上述した第１から第５の実施形態と同様な処理を適用することができる。
【０１４１】
以上のように、サブフレーム内の複数のチャネルを用いて通信を行うシステムにおいて、各端末装置における各チャネルの受信状態が異なる可能性のあるシステムに対して、本実施形態を適用可能であり、システム全体において、各端末装置からの上りリンクでの受信状態情報の総通知量を抑えながらも、高速・大容量の通信を必要とする端末装置に対しては効率的なスケジューリングと適応変調を適用することが可能となる。
【０１４２】
（第７の実施形態）
第７の実施形態では、上述した第１から第６の実施形態においてさらに、通知要求決定部は、端末装置に対して受信状態情報を最初に要求する場合に、その端末装置に対しては、最もビット数（レベル数）の小さい受信状態情報（上記各実施形態における、Ｌ１受信状態情報、Ｌ１−Ｍ受信状態情報、Ｌ１’受信状態情報。以下、これらを第１の受信状態情報と記す。）を要求する通知要求情報を生成する。
なお、本実施形態で用いる基地局装置と端末装置としては、第１の実施形態の基地局装置２００（図２）と端末装置（図３）と同様のものを用いることができるため、それらの説明を省略する。なお、本実施形態では、第１の実施形態による基地局装置と端末装置とを用いる場合について説明するが、これに限定されるものではなく、第２から第６の実施形態による基地局装置と端末装置とを用いても良い。
【０１４３】
図２４は、本発明の第７の実施形態における基地局装置と端末装置との処理を示すシーケンス図である。図２４は、基地局装置と端末装置との最初の通知要求情報と受信状態情報の通知に関係する処理を示している。
まず、基地局装置は、端末装置宛の最初の下りリンク送信データが送信バッファ部に入力された場合に（ステップＳ２４０１）、端末装置に対して第１の受信状態情報であるＬ１受信状態情報を要求する通知要求情報を生成する（ステップＳ２４０２）。
そして、基地局装置は、ステップＳ２４０２で生成した通知要求情報を、下りリンク制御情報の一部として端末装置Ａに通知する（ステップＳ２４０３）。
【０１４４】
端末装置は、Ｌ１受信状態情報を要求する通知要求情報を受信し、下りリンクのパイロットシンボルから各チャネルに関する受信状態を測定する（ステップＳ２４０４）。
そして、端末装置は、各チャネルの受信状態測定結果からそれぞれＬ１個のレベルで表されるＬ１受信状態情報を生成する（ステップＳ２４０５）。
次に、端末装置は、ステップＳ２４０５で生成したＬ１受信状態情報を、基地局装置に対して通知する（ステップＳ２４０６）。
【０１４５】
次に、基地局装置は、端末装置がステップＳ２４０６で送信したＬ１受信状態情報を受信し、その他の端末装置からの受信状態情報と合わせて、下りリンクのスケジューリングおよび適応変調を行う（ステップＳ２４０７）。
そして、基地局装置は、端末装置宛の送信データ量に基づいて、端末装置に要求する受信状態情報をＬ１受信状態情報とＬ２受信状態情報から選択し通知要求情報を生成する（ステップＳ２４０８）。
次に、基地局装置は、ステップＳ２４０８で生成した通知要求情報を、下りリンク制御情報の一部として端末装置に通知する（ステップＳ２４０９）。
なお、図２４では、ステップＳ２４０８においてＬ２受信状態情報が選択される場合について示している。
【０１４６】
端末装置は、Ｌ２受信状態情報を要求する通知要求情報を基地局装置から受信し、下りリンクのパイロットシンボルから各チャネルに関する受信状態を測定する（ステップＳ２４１０）。
そして、端末装置は、各チャネルの受信状態測定結果からそれぞれＬ２個のレベルで表されるＬ２受信状態情報を生成する（ステップＳ２４１１）。
次に、端末装置は、ステップＳ２４１１で生成したＬ２受信状態情報を、基地局装置に対して通知する（ステップＳ２４１２）。
【０１４７】
以降、端末装置宛の送信データが存在する間、ステップＳ２４０７からＳ２４１２の処理を繰り返す。なお、ステップＳ２４０２からＳ２４０６までが、本実施形態における最初の通知要求情報と受信状態情報の通知の処理である。
【０１４８】
また、図２４では、受信状態情報を最初に要求するタイミングとして、対象端末装置宛の最初の送信データが送信バッファ部に入力されたタイミングとして説明したが、これに限定されるものではなく、例えば、対象端末装置が基地局装置に対して接続要求を行ったタイミングや、基地局装置と対象端末装置の間で認証が完了したタイミングや、端末装置が一時的に通信を中断している状態から復帰したタイミングなどにも適用できる。
【０１４９】
以上のように、本実施形態では、端末装置に対して受信状態情報を最初に要求する場合に、その端末装置に対しては最もビット数（レベル数）の小さい第１の受信状態情報を要求する。これにより、基地局装置と端末装置との間でデータ通信を開始する際に、その端末装置から各チャネルの受信状態をより少ないレベル数で粗く表した第１の受信状態情報を用いるため、上りリンクを用いて通知する受信状態情報の情報量を削減することができる。
【０１５０】
（第８の実施形態）
第１の実施形態では、基地局装置２００からそれぞれの端末装置３００へ通知要求する受信状態情報を決定する際、送信バッファ２０１内の送信データ量を参照する場合について説明した。
第８の実施形態における基地局装置２５００は、基地局装置２５００からそれぞれの端末装置３００へ通知要求する受信状態情報を決定する際、送信バッファ２０１内の送信データ量および各端末装置における最大ドップラー周波数ｆｄを参照する。
【０１５１】
図２５は、本発明の第８の実施形態による基地局装置２５００の構成を示す概略ブロック図である。この基地局装置２５００は、送信バッファ部２０１、符号化部２０２、マッピング部２０３、ＩＦＦＴ部２０４、ＧＩ挿入部２０５、Ｄ／Ａ変換部２０６、無線送信部２０７、アンテナ部２０８、無線受信部２０９、Ａ／Ｄ変換部２１０、デマッピング部２１１、復号化部２１２、通知要求決定部２５１３、スケジューリング部９１４、下りリンク制御情報生成部２１５、パイロット生成部２１６、受信状態情報記憶部２１７、最大ドップラー周波数測定部２１８を有する。
【０１５２】
基地局装置２５００において、基地局装置２００の通知要求決定部２１３に相当する通知要求決定部２５１３が、第1の実施形態（図２）とは異なる。また、最大ドップラー周波数測定部２１８を備えている点において、第1の実施形態とは異なる。基地局装置２５００のその他の構成については、第１の実施形態と同様であるので、その説明を省略する。
【０１５３】
通知要求決定部２５１３は、送信バッファ部２０１が取得した送信情報の情報量と、最大ドップラー周波数測定部２１８が測定する最大ドップラー周波数とに基づいて、端末装置が基地局装置２５００に対して通知するチャネルの受信状態情報の情報量を決定する。
例えば、通知要求決定部２５１３は、最大ドップラー周波数測定部２１８において測定された最大ドップラー周波数ｆｄの測定結果と、送信バッファ部２０１からの各端末装置宛の送信データ量情報とに基づいて、各端末装置に対して、全チャネルに関するそれぞれの受信状態を１チャネル当たりｂ１ビット（ｂ１は自然数）で表現されるＬ１個（Ｌ１は、２ｂ１−１＜Ｌ１≦２ｂ１を満たす自然数）のレベルによって表すＬ１受信状態情報と、全チャネルに関するそれぞれの受信状態を１チャネル当たりｂ２ビット（ｂ２＞ｂ１を満たす自然数）で表現されるＬ２個（Ｌ２は２ｂ２−１＜Ｌ２≦２ｂ２を満たす自然数）のレベルによって表すＬ２受信状態情報とのどちらを通知要求するかを決定する。そして、通知要求決定部２５１３は、その決定結果を通知要求情報として下りリンク制御情報生成部２１５へ出力する。通知要求情報の決定手順の詳細については後述する。
具体的には、通知要求決定部２５１３は、最大ドップラー周波数測定部２１８が測定する最大ドップラー周波数ｆｄが大きくなるに従って、端末装置が基地局装置２５００に対して通知するチャネルの受信状態情報の情報量を少なくするように、チャネルの受信状態情報の情報量を決定する。通知要求決定部２５１３の詳細な処理については、図２６で後述する。
【０１５４】
最大ドップラー周波数測定部２１８は、デマッピング部２１１が出力する信号に基づいて、端末装置から基地局装置２５００が受信する信号の最大ドップラー周波数を測定する。なお、最大ドップラー周波数測定部２１８は、基地局装置２５００が備えていても良いし、端末装置３００が備えていても良い。端末装置３００が具備する場合は最大ドップラー周波数ｆｄの測定結果を基地局装置２５００に報告する構成にすれば良い。
【０１５５】
なお、本実施形態で用いる端末装置としては、第１の実施形態の端末装置（図３）と同様のものを用いることができるため、その説明を省略する。
【０１５６】
図２６は、本発明の第８の実施形態による基地局装置２５００の通知要求決定部２５１３の処理を示すフローチャートである。すなわち、図２６は、通知要求決定部２５１３における通知要求情報の決定動作を示している。
まず、通知要求決定部２５１３は、送信バッファ部２０１から各端末装置宛の送信データ量を取得する（ステップＳ２６０１）。そして、通知要求決定部２５１３は、各端末装置における最大ドップラー周波数ｆｄの測定結果を取得する（ステップＳ２６０２）。
通知要求決定部２５１３は、それぞれの端末装置（Ｎ台の端末装置）について以下の処理を繰り返す（ステップＳ２６０３からＳ２６０８のループ８）。
つまり、通知要求決定部２５１３は、それぞれの端末装置について、その端末装置宛の送信データ量と、所定の第１閾値、例えば全端末装置宛の送信データ量の平均値とを比較し（ステップＳ２６０４）、送信データ量が第１閾値以上である場合は、さらにその端末装置における最大ドップラー周波数ｆｄの測定結果と、所定の第２閾値、例えば端末装置が受信状態を測定する時刻と、基地局装置がその受信状態測定結果に基づいてスケジューリング／適応変調した送信データを端末装置が受信する時刻との間の時間、いわゆる処理遅延が、最大ドップラー周波数ｆｄの逆数に定数を乗算することにより得られるコヒーレント時間と一致するように定めた値、とを比較し（ステップＳ２６０５）、最大ドップラー周波数ｆｄの測定結果が第２閾値未満である場合は、Ｌ２受信状態情報を要求することを選択し（ステップＳ２６０６）、送信データ量が第１閾値未満である場合、あるいは最大ドップラー周波数ｆｄの測定結果が第２閾値以上であるは、その端末装置に対してＬ１受信状態情報を要求することを選択する（ステップＳ２６０７）。
【０１５７】
なお、本実施形態では、各端末装置へ基地局装置が送信するデータのトラフィック量の大小を判定し、通知要求情報の決定に用いる所定の第１閾値として、「全端末装置宛の送信データ量の平均値」を用いた場合について説明した。
しかしながら、通知要求情報の決定に用いる所定の第１閾値は、これに限定されるものではなく、例えば、Ｌ１受信状態情報を通知する端末装置数と、Ｌ２受信状態情報を通知する端末装置数が予め定めた割合となるように定めた値や、通知要求情報に応じて全端末装置から通知される受信状態情報の総情報量が予め定めた値以下となるような端末装置数の割合を実現する値のように、各端末装置へ基地局装置が送信するデータのトラフィック量の大小を判定できる指標であれば、他の指標を用いても良い。
【０１５８】
また、通知要求情報の決定に用いる所定の第１閾値の大きさは、０より大きく、送信バッファ部に蓄積可能な各端末装置当たりの最大送信データ量以下の値であることが望ましい。
また、所定の第２閾値は、「端末装置が受信状態を測定する時刻と、基地局装置がその受信状態測定結果に基づいてスケジューリング／適応変調した送信データを端末装置が受信する時刻との間の時間、いわゆる処理遅延が、ｆｄの逆数に定数を乗算することにより得られるコヒーレント時間と一致するように定めた値」を用いた場合について説明した。
しかしながら、通知要求情報の決定に用いる所定の第２閾値は、これに限られるものではなく、例えば、端末装置が受信状態を測定する時刻における受信状態が、基地局装置がその受信状態測定結果に基づいてスケジューリング／適応変調した送信データを端末装置が受信する時刻における受信状態と、ほぼ同様の値となるような最大ドップラー周波数ｆｄの値であれば効果が得られる。
【０１５９】
なお、上記の説明では、各端末装置のチャネルの受信状態測定結果の変動の速さを示す指標として、端末装置における最大ドップラー周波数ｆｄを用いる場合について説明したが、これに限るものではない。例えば、端末装置におけるコヒーレント時間、端末装置が受信状態を測定する時刻における受信状態と、基地局装置がその受信状態測定結果に基づいてスケジューリング／適応変調した送信データを端末装置が受信する時刻における受信状態との差、端末装置の移動速度を測定した値など、各端末装置のチャネルの受信状態測定結果の変動の速さに関連する他の指標を用いても良い。
【０１６０】
このように、本実施形態によれば、複数の端末装置３００から基地局装置２５００へ受信状態情報を通知する際に、各端末装置宛の下りリンク送信データ量と各端末装置おけるｆｄとに応じて、全チャネルに関するそれぞれの受信状態を１チャネル当たりｂ１ビットで表現されるＬ１個のレベルによって表すＬ１受信状態情報を通知するか、１チャネル当たりｂ２ビット（ｂ２＞ｂ１）で表現されるＬ２個のレベルによって表すＬ２受信状態情報を通知するかを選択する。
【０１６１】
そのため、下りリンクで多くのリソースブロックを割り当て、多くの送信データを送信する必要のある端末装置については、各チャネルの受信状態を多くのレベル数を用いて詳細に表したＬ２受信状態情報を得ることができ、各チャネルの詳細な受信状態情報に基づく効率的なスケジューリングおよび適応変調を優先的に行うことが可能となり、より高速な伝送が実現できる。
【０１６２】
さらに、多くの送信データを送信する必要のあっても、チャネルの受信状態の変動が速く、処理遅延の前後で受信状態が変化するためスケジューリング／適応変調の効果が小さい端末装置については、各チャネルの受信状態をより少ないレベル数で粗く表したＬ１受信状態情報報告をするため、それらの端末装置から上りリンクを用いて通知する受信状態情報の情報量を削減することができる。
【０１６３】
一方、下りリンクで送信すべきデータが比較的少ない端末装置については、Ｌ１受信状態情報を報告するため、それらの端末装置から上りリンクを用いて通知する受信状態情報の情報量を削減することができる。
以上から、システム全体において、各端末装置からの上りリンクでの受信状態情報の総通知量を抑えながらも、高速・大容量の通信を必要とする端末装置に対しては効率的なスケジューリングと適応変調を適用することが可能となる。
【０１６４】
上述した第１から第８の実施形態では、伝送システムとしてマルチキャリア伝送システム（特にＯＦＤＭ伝送システム）を用い、チャネル構成として少なくとも１つのサブキャリアを備えるチャネル構成を用い、適応変調の対象単位がチャネル毎であり、適応スケジューリング（チャネルの割り当て）がチャネル毎であるセルラーシステムに、受信状態としてパイロットシンボルに基づき算出したＣＮＲを用いる場合について説明した。
しかしながら、変調方式、チャネル構成、適応変調の対象単位、適応スケジューリング（チャネルの割り当て）、及び受信状態はこのような条件に限定されるものではない。
例えば、伝送システムとして拡散技術を用いたＭＣ−ＣＤＭＡ（Multi Carrier-Code Division Multiple Access）システムを、適応変調および適応スケジューリングの単位は、ＭＩＭＯ（Multiple Input Multiple Output）などのＳＤＭＡ（Space Division Multiple Access：空間分割多元接続）において送信アンテナあるいは固有モードが示す複数のチャネル、ＣＤＭＡにおける複数のコードチャネル、あるいはこれらの組み合わせとしてのチャネルなど、複数のチャネルを用いて通信を行う他のシステムであっても、チャネル毎に受信状態が異なる可能性があるシステムにおいて、本発明の各実施形態を用いることができる。
【０１６５】
また、受信状態情報としては、ＲＳＳＩ（Received Signal Strength Indicator）、ＳＮＲ、ＳＩＲ（Signal to Interference power Ratio：受信信号電力対干渉電力比）、ＳＩＮＲ（Signal to Interference plus Noise power Ratio：受信信号電力対干渉電力および雑音電力比）、ＣＩＲ（Carrier to Interference power Ratio：搬送波電力対干渉電力比）、ＣＩＮＲ（Carrier to Interference plus Noise power Ratio：搬送波電力対干渉電力および雑音電力比）、など受信信号電力や搬送波電力に関連して受信状態を示す指標や、変調方式とチャネル符号化率の組み合わせであるＭＣＳや伝送レートなどの変調パラメータ等の伝搬路状態に応じて選択された変調パラメータなどの伝送速度にかかわる指標であれば、その他の指標を用いても良い。
【０１６６】
また、上述した第１から第８の実施形態では、基地局装置と複数の端末装置とから構成されるＦＤＤ（Frequency Division Duplex：周波数分割複信）を採用する通信システムであり、下りリンクの通信においてＯＦＤＭの適応変調システムを用い、上りリンクの通信ではＯＦＤＭと適応変調は行わないシステムを用いているが、これに限定されるものではない。
更に、上述した第１から第８の実施形態は、複数の無線通信装置のいずれかがスケジューリング機能と適応変調を実施し、他の無線通信装置が受信状態情報送信機能を実施することができる関係にある無線通信装置同士へ適用することができる。
【０１６７】
なお、二つの無線通信装置間で、チャネルの受信状態情報を通知する側（受信状態情報送信機能を有する側）を端末装置、通知された受信状態情報に基づいて各端末装置への送信データを各チャネルに割り当て適応変調を行う側（スケジューリング機能を行う側）を基地局装置として説明したが、一つの無線通信装置が両方の機能を有する場合もあり得る。
この無線通信装置は、無線通信を行う装置であり、基地局装置、端末装置、無線機、携帯端末装置、携帯電話等が含まれる。
【０１６８】
なお、以上説明した実施形態において、第１から第８の実施形態における基地局装置（図２、図９、図１３、図１７、図１９、図２５）の各部や、端末装置（図３、図１０、図１４、図２０）の各部の機能又はこれらの機能の一部を実現するためのプログラムをコンピュータ読み取り可能な記録媒体に記録して、この記録媒体に記録されたプログラムをコンピュータシステムに読み込ませ、実行することにより基地局装置や端末装置の制御を行ってもよい。なお、ここでいう「コンピュータシステム」とは、ＯＳや周辺機器等のハードウェアを含むものとする。
【０１６９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１７０】
以上、この発明の実施形態について図面を参照して詳述してきたが、具体的な構成はこの実施形態に限られるものではなく、この発明の要旨を逸脱しない範囲の設計等も特許請求の範囲に含まれる。
【図面の簡単な説明】
【０１７１】
【図１】本発明の第１の実施形態における下りリンクのサブフレーム構成の一例を示した図である。
【図２】本発明の第１の実施形態による基地局装置２００の構成を示す概略ブロック図である。
【図３】本発明の第１の実施形態による端末装置３００の構成を示す概略ブロック図である。
【図４】本発明の第１の実施形態で使用するＬ１受信状態情報とＬ２受信状態情報について説明するための図である。
【図５】本発明の第１の実施形態で使用するＬ１受信状態情報とＬ２受信状態情報の他の一例について説明するための図である。
【図６】本発明の第１の実施形態による基地局装置２００の通知要求決定部２１３の処理を示すフローチャートである。
【図７】本発明の第１の実施形態による基地局装置２００のスケジューリング部２１４の処理を示すフローチャートである。
【図８】本発明の第１の実施形態における受信状態情報の通知要求の決定方法について説明するための図である。
【図９】本発明の第２の実施形態による基地局装置９００の構成を示す概略ブロック図である。
【図１０】本発明の第２の実施形態による端末装置１０００の構成を示す概略ブロック図である。
【図１１】本発明の第２の実施形態による基地局装置９００の通知要求決定部９１３の処理を示すフローチャートである。
【図１２】本発明の第２の実施形態による基地局装置９００のスケジューリング部９１４の処理を示すフローチャートである。
【図１３】本発明の第３の実施形態による基地局装置１３００の構成を示す概略ブロック図である。
【図１４】本発明の第３の実施形態による端末装置１４００の構成を示す概略ブロック図である。
【図１５】本発明の第３の実施形態による基地局装置１３００の通知要求決定部１３１３の処理を示すフローチャートである。
【図１６】本発明の第３の実施形態による基地局装置１３００のスケジューリング部１３１４の処理を示すフローチャートである
【図１７】本発明の第４の実施形態による基地局装置１７００の構成を示す概略ブロック図である。
【図１８】本発明の第４の実施形態による基地局装置１７００の通知要求決定部１７１３の処理を示すフローチャートである。
【図１９】本発明の第５の実施形態による基地局装置１９００の構成を示す概略ブロック図である。
【図２０】本発明の第５の実施形態による端末装置２０００の構成を示す概略ブロック図である。
【図２１】本発明の第５の実施形態による基地局装置１９００の通知要求決定部１９１３の処理を示すフローチャートである。
【図２２】本発明の第５の実施形態による基地局装置１９００のスケジューリング部１９１４の処理を示すフローチャートである。
【図２３】本発明の第６の実施形態における下りリンクのサブフレーム構成の一例を示す図である。
【図２４】本発明の第７の実施形態における基地局装置と端末装置との処理を示すシーケンス図である。
【図２５】本発明の第８の実施形態による基地局装置２５００の構成を示す概略ブロック図である。
【図２６】本発明の第８の実施形態による基地局装置２５００の通知要求決定部２５１３の処理を示すフローチャートである。
【図２７】従来技術における基地局装置９０００の構成を示す概略ブロック図である。
【符号の説明】
【０１７２】
２００・・・基地局装置、２０１・・・送信バッファ部、２０２・・・符号化部、２０３・・・マッピング部、２０４・・・ＩＦＦＴ部、２０５・・・ＧＩ挿入部、２０６・・・Ｄ／Ａ変換部、２０７・・・無線送信部、２０８・・・アンテナ部、２０９・・・無線受信部、２１０・・・Ａ／Ｄ変換部、２１１・・・デマッピング部、２１２・・・復号化部、２１３・・・通知要求決定部、２１４・・・スケジューリング部、２１５・・・下りリンク制御情報生成部、２１６・・・パイロット生成部、２１７・・・受信状態情報記憶部、２１８・・・最大ドップラー周波数測定部、３００・・・端末装置、３０１・・・アンテナ部、３０２・・・無線受信部、３０３・・・Ａ／Ｄ変換部、３０４・・・ＧＩ除去部、３０５・・・ＦＦＴ部、３０６・・・デマッピング部、３０７・・・復号化部、３０８・・・受信状態測定部、３０９・・・受信状態情報生成部、３１０・・・符号化部、３１１・・・マッピング部、３１２・・・Ｄ／Ａ変換部、３１３・・・無線送信部、３１４・・・復調制御部、９１３・・・通知要求決定部、９１４・・・スケジューリング部、９１７・・・受信状態情報記憶部、１００９・・・受信状態情報生成部、１３１３・・・通知要求決定部、１３１４・・・スケジューリング部、１３１７・・・受信状態情報記憶部、１４０９・・・受信状態情報生成部、１７０１・・・送信バッファ部、１７１３・・・通知要求決定部、１９１３・・・通知要求決定部、１９１４・・・スケジューリング部、１９１７・・・受信状態情報記憶部、２００９・・・受信状態情報生成部、２５１３・・・通知要求決定部
【図１】
2008271205.tif 000003
【図２】
2008271205.tif 000004
【図３】
2008271205.tif 000005
【図４】
2008271205.tif 000006
【図５】
2008271205.tif 000007
【図６】
2008271205.tif 000008
【図７】
2008271205.tif 000009
【図８】
2008271205.tif 000010
【図９】
2008271205.tif 000011
【図１０】
2008271205.tif 000012
【図１１】
2008271205.tif 000013
【図１２】
2008271205.tif 000014
【図１３】
2008271205.tif 000015
【図１４】
2008271205.tif 000016
【図１５】
2008271205.tif 000017
【図１６】
2008271205.tif 000018
【図１７】
2008271205.tif 000019
【図１８】
2008271205.tif 000020
【図１９】
2008271205.tif 000021
【図２０】
2008271205.tif 000022
【図２１】
2008271205.tif 000023
【図２２】
2008271205.tif 000024
【図２３】
2008271205.tif 000025
【図２４】
2008271205.tif 000026
【図２５】
2008271205.tif 000027
【図２６】
2008271205.tif 000028
【図２７】
2008271205.tif 000029